(57)【要約】【課題】クライアントが既に音楽ファイルを所有している場合に音楽データの取得費用が重複して発生することのない同期歌詞配信システムを提供する。【解決手段】クライアントが現時点で有効な同期歌詞配信会員である場合にのみ、同期歌詞ファイル２０と、有効期間が定められたライセンスキー４０とを同期歌詞付き音楽ファイル管理端末に対して送信する同期歌詞ファイル配信装置２００と、同期歌詞ファイル２０を用いて同期歌詞付き音楽ファイル３０を作成するとともに、同期歌詞付き音楽ファイル３０及びライセンスキー４０を携帯型音楽・同期歌詞再生端末に対して送信する同期歌詞付き音楽ファイル管理端末と、ライセンスキー４０が有効期間内のものである場合にのみ歌詞付き音楽ファイル３０に含まれる暗号化同期歌詞データ２２から音楽再生に同期して歌詞を表示する携帯型音楽・同期歌詞再生端末とを備える歌詞配信システム１００。【選択図】図１
2008112157.tif 000002
【特許請求の範囲】
【請求項１】
同期歌詞ファイル配信装置と、同期歌詞付き音楽ファイル管理端末と、携帯型音楽・同期歌詞再生端末とを備える同期歌詞配信システムであって、
前記同期歌詞ファイル配信装置は、
暗号化された同期歌詞データ（以下、暗号化同期歌詞データという。）を含む同期歌詞ファイルを記憶する同期歌詞ファイルＤＢと、
前記同期歌詞配信システムに参加する同期歌詞配信会員に関する情報を記憶する同期歌詞配信会員ＤＢと、
クライアントから前記同期歌詞ファイルの配信を希望する旨の要求があったとき、前記同期歌詞ファイルＤＢから前記同期歌詞ファイルを取得して当該クライアントの前記同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有し、
前記同期歌詞付き音楽ファイル管理端末は、
前記同期歌詞ファイルの配信を希望する旨の要求を前記同期歌詞ファイル配信装置に対して送信する機能と、前記ライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、
音楽データを含む音楽ファイルを記憶する音楽ファイル記憶部と、受信した前記ライセンスキーを記憶するライセンスキー記憶部と、
受信した前記同期歌詞ファイルから前記暗号化同期歌詞データを抽出し、前記音楽ファイルに当該暗号化同期歌詞データを挿入することにより、前記暗号化同期歌詞データを含む同期歌詞付き音楽ファイルを作成する同期歌詞付き音楽ファイル作成部と、
前記同期歌詞付き音楽ファイルを記憶する同期歌詞付き音楽ファイル記憶部と、
前記同期歌詞付き音楽ファイルを前記携帯型音楽・同期歌詞再生端末に対して送信する機能と、前記ライセンスキーを前記携帯型音楽・同期歌詞再生端末に対して送信する機能とを有するインタフェース部とを有し、
前記携帯型音楽・同期歌詞再生端末は、
前記同期歌詞付き音楽ファイル管理端末から前記同期歌詞付き音楽ファイルを受信する機能と、前記同期歌詞付き音楽ファイル管理端末から前記ライセンスキーを受信する機能とを有するインタフェース部と、
受信した前記同期歌詞付き音楽ファイルを記憶する同期歌詞付き音楽ファイル記憶部と、
受信した前記ライセンスキーを記憶するライセンスキー記憶部と、
前記同期歌詞付き音楽ファイルに含まれる前記音楽データから音楽を再生する音楽再生部と、
前記ライセンスキーが有効期間内のものである場合にのみ前記同期歌詞付き音楽ファイルに含まれる前記暗号化同期歌詞データから音楽再生に同期して歌詞を表示する同期歌詞表示部とを有することを特徴とする同期歌詞配信システム。
【請求項２】
請求項１に記載の同期歌詞配信システムにおいて、
前記同期歌詞付き音楽ファイル管理端末の前記同期歌詞付き音楽ファイル記憶部及び前記携帯型音楽・同期歌詞再生端末の前記同期歌詞付き音楽ファイル記憶部は、前記ライセンスキーが有効期間内のものでない場合であっても、前記同期歌詞付き音楽ファイルを記憶し続ける機能をさらに有することを特徴とする同期歌詞配信システム。
【請求項３】
請求項２に記載の同期歌詞配信システムにおいて、
前記携帯型音楽・同期歌詞再生端末の前記音楽再生部は、前記ライセンスキーが有効期間内のものでない場合であっても、前記同期歌詞付き音楽ファイルに含まれる前記音楽データから音楽を再生する機能をさらに有することを特徴とする同期歌詞配信システム。
【請求項４】
請求項１〜３のいずれかに記載の同期歌詞配信システムにおいて、
前記同期歌詞付き音楽ファイル管理端末は、
前記同期歌詞付き音楽ファイルに含まれる前記音楽データから音楽を再生する音楽再生部と、
前記ライセンスキーが有効期間内のものである場合にのみ前記同期歌詞付き音楽ファイルに含まれる前記暗号化同期歌詞データから音楽再生に同期して歌詞を表示する同期歌詞表示部とをさらに有することを特徴とする同期歌詞配信システム。
【請求項５】
請求項４に記載の同期歌詞配信システムにおいて、
前記同期歌詞付き音楽ファイル管理端末の前記同期歌詞表示部は、前記ライセンスキーが有効期間内のものでない場合又は前記ライセンスキーそのものを所有していない場合であっても、前記同期歌詞付き音楽ファイルに含まれる前記暗号化同期歌詞データから歌詞の一部を表示することができるように構成されていることを特徴とする同期歌詞配信システム。
【請求項６】
請求項１〜５のいずれかに記載の同期歌詞配信システムにおいて、
前記携帯型音楽・同期歌詞再生端末として、複数種類の携帯型音楽・同期歌詞再生端末を備え、
前記同期歌詞付き音楽ファイル管理端末の前記同期歌詞付き音楽ファイル作成部は、前記複数種類の携帯型音楽・同期歌詞再生端末のそれぞれに対応するように前記同期歌詞付き音楽ファイルを作成する機能を有することを特徴とする同期歌詞配信システム。
【請求項７】
請求項１〜６のいずれかに記載の同期歌詞配信システムにおいて、
前記ウェブサービスサーバは、クライアントから前記同期歌詞ファイルの配信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記同期歌詞ファイルＤＢから前記同期歌詞ファイルを取得して当該クライアントの前記同期歌詞付き音楽ファイル管理端末に対して配信することを特徴とする同期歌詞配信システム。
【請求項８】
請求項７に記載の同期歌詞配信システムにおいて、
前記同期歌詞ファイル配信装置は、
前記音楽ファイルを記憶する音楽ファイルＤＢと、
前記音楽ファイルＤＢが記憶する前記音楽ファイルと前記同期歌詞ファイルＤＢが記憶する前記同期歌詞ファイルとから前記暗号化同期歌詞データを含む同期歌詞付き音楽ファイルを作成する同期歌詞付き音楽ファイル作成部とをさらに備え、
前記ウェブサービスサーバは、クライアントから前記同期歌詞付き音楽ファイルの配信を希望する旨の要求があったとき、前記同期歌詞ファイル配信装置の前記同期歌詞付き音楽ファイル作成部から前記同期歌詞付き音楽ファイルを取得して当該クライアントの前記同期歌詞付き音楽ファイル管理端末に対して配信する機能をさらに有することを特徴とする同期歌詞配信システム。
【請求項９】
請求項７に記載の同期歌詞配信システムにおいて、
前記同期歌詞ファイル配信装置は、
ネットワークを介して音楽ファイルを取得する音楽ファイル取得サーバと、
前記音楽ファイル取得サーバが取得した前記音楽ファイルと前記同期歌詞ファイルＤＢが記憶する前記同期歌詞ファイルとから前記同期歌詞付き音楽ファイルを作成する同期歌詞付き音楽ファイル作成部とをさらに備え、
前記ウェブサービスサーバは、クライアントから前記同期歌詞付き音楽ファイルの配信を希望する旨の要求があったとき、前記同期歌詞ファイル配信装置の前記同期歌詞付き音楽ファイル作成部から前記同期歌詞付き音楽ファイルを取得して当該クライアントの前記同期歌詞付き音楽ファイル管理端末に対して配信する機能をさらに有することを特徴とする同期歌詞配信システム。
【請求項１０】
請求項７に記載の同期歌詞配信システムにおいて、
前記同期歌詞ファイル配信装置は、音楽データ及び暗号化同期歌詞データを含む同期歌詞付き音楽ファイルを記憶する同期歌詞付き音楽ファイルＤＢをさらに備え、
前記ウェブサービスサーバは、クライアントから前記同期歌詞付き音楽ファイルの配信を希望する旨の要求があったとき、前記同期歌詞付き音楽ファイルＤＢから前記同期歌詞付き音楽ファイルを取得して当該クライアントの前記同期歌詞付き音楽ファイル管理端末に対して配信する機能をさらに有することを特徴とする同期歌詞配信システム。
【請求項１１】
暗号化された同期歌詞データ（以下、暗号化同期歌詞データという。）を含む同期歌詞ファイルを記憶する同期歌詞ファイルＤＢと、
前記同期歌詞ファイルの配信を希望する同期歌詞配信会員が有効か否かを特定するための情報を記憶する同期歌詞配信会員ＤＢと、
クライアントから前記同期歌詞ファイルの配信を希望する旨の要求があったとき、前記同期歌詞ファイルＤＢから前記同期歌詞ファイルを取得して当該クライアントの同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有することを特徴とする同期歌詞ファイル配信装置。
【請求項１２】
暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、前記暗号化同期歌詞データから音楽再生に同期して歌詞を表示するためのライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、
音楽データを含む音楽ファイルを記憶する音楽ファイル記憶部と、
受信した前記ライセンスキーを記憶するライセンスキー記憶部と、
受信した前記同期歌詞ファイルから前記暗号化同期歌詞データを抽出し、前記音楽ファイルに当該暗号化同期歌詞データを挿入することにより、前記暗号化同期歌詞データを含む同期歌詞付き音楽ファイルを作成する同期歌詞付き音楽ファイル作成部と、
前記同期歌詞付き音楽ファイルを記憶する同期歌詞付き音楽ファイル記憶部と、
前記同期歌詞付き音楽ファイルを携帯型音楽・同期歌詞再生端末に対して送信する機能と、前記ライセンスキーを前記携帯型音楽・同期歌詞再生端末に対して送信する機能とを有するインタフェース部とを有することを特徴とする同期歌詞付き音楽ファイル管理端末。
【請求項１３】
暗号化された同期歌詞データ（以下、暗号化同期歌詞データという。）を含む同期歌詞ファイルから前記暗号化同期歌詞データを抽出し、音楽ファイルに当該暗号化同期歌詞データを挿入することにより、前記暗号化同期歌詞データを含む同期歌詞付き音楽ファイルを作成する同期歌詞付き音楽ファイル管理端末から、前記同期歌詞付き音楽ファイルを受信する機能と、前記同期歌詞付き音楽ファイル管理端末から、前記暗号化同期歌詞データから音楽再生に同期して歌詞を表示するためのライセンスキーを受信する機能とを有するインタフェース部と、
受信した前記同期歌詞付き音楽ファイルを記憶する同期歌詞付き音楽ファイル記憶部と、
受信した前記ライセンスキーを記憶するライセンスキー記憶部と、
前記同期歌詞付き音楽ファイルに含まれる前記音楽データから音楽を再生する音楽再生部と、
前記ライセンスキーが有効期間内のものである場合にのみ前記同期歌詞付き音楽ファイルに含まれる前記暗号化同期歌詞データから音楽再生に同期して歌詞を表示する同期歌詞表示部とを有することを特徴とする携帯型音楽・同期歌詞再生端末。
【請求項１４】
コンピュータを同期歌詞付き音楽ファイル管理端末として機能させるための同期歌詞付き音楽ファイル管理端末用プログラムであって、
前記コンピュータに、
暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、
前記暗号化同期歌詞データから音楽再生に同期して歌詞を表示するためのライセンスキーの送信を希望する旨の要求を前記同期歌詞ファイル配信装置に対して送信する機能と、
前記同期歌詞ファイル配信装置から配信された前記同期歌詞ファイルを受信する機能と、
前記同期歌詞ファイル配信装置から送信された前記ライセンスキーを受信する機能と、
音楽データを含む音楽ファイルを記憶する機能と、
受信した前記ライセンスキーを記憶する機能と、
受信した前記同期歌詞ファイルから前記暗号化同期歌詞データを抽出し、前記音楽ファイルに当該暗号化同期歌詞データを挿入することにより、前記暗号化同期歌詞データを含む同期歌詞付き音楽ファイルを作成する機能と、
前記同期歌詞付き音楽ファイルを記憶する機能と、
前記同期歌詞付き音楽ファイルを携帯型音楽・同期歌詞再生端末に対して送信する機能と、
前記ライセンスキーを前記携帯型音楽・同期歌詞再生端末に対して送信する機能とを実現させるための同期歌詞付き音楽ファイル管理端末用プログラム。
【請求項１５】
同期歌詞ファイル配信装置と、音楽・同期歌詞再生端末とを備える同期歌詞配信システムであって、
前記同期歌詞ファイル配信装置は、
暗号化された同期歌詞データ（以下、暗号化同期歌詞データという。）を含む同期歌詞ファイルを記憶する同期歌詞ファイルＤＢと、
前記同期歌詞配信システムに参加する同期歌詞配信会員に関する情報を記憶する同期歌詞配信会員ＤＢと、
クライアントから前記同期歌詞ファイルの配信を希望する旨の要求があったとき、前記同期歌詞ファイルＤＢから前記同期歌詞ファイルを取得して当該クライアントの前記同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有し、
前記音楽・同期歌詞再生端末は、
前記同期歌詞ファイルの配信を希望する旨の要求を前記同期歌詞ファイル配信装置に対して送信する機能と、前記ライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、
受信した前記同期歌詞ファイルに含まれる前記暗号化同期歌詞データを一時的に記憶するバッファメモリと、
受信した前記ライセンスキーを記憶するライセンスキー記憶部と、
音楽データを含む音楽ファイルを記憶する音楽ファイル記憶部と、
前記音楽ファイル記憶部が記憶している前記音楽ファイルに含まれる音楽データから音楽を再生する音楽再生部と、
前記ライセンスキーが有効期間内のものである場合にのみ前記バッファメモリに記憶している前記暗号化同期歌詞データから音楽再生に同期して歌詞を表示する同期歌詞表示部と、
音楽・同期歌詞再生が終了するときまでに前記バッファメモリにおける前記暗号化同期歌詞データに係る記憶領域を開放する制御手段とを有することを特徴とする同期歌詞配信システム。
【請求項１６】
請求項１５に記載の同期歌詞配信システムにおいて、
前記同期歌詞表示部は、前記ライセンスキーが有効期間内のものでない場合又は前記ライセンスキーそのものを所有していない場合であっても、前記暗号化同期歌詞データから歌詞の一部を表示することができるように構成されていることを特徴とする同期歌詞配信システム。
【請求項１７】
請求項１５又は１６に記載の同期歌詞配信システムにおいて、
前記ウェブサービスサーバは、クライアントから前記同期歌詞ファイルの配信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記同期歌詞ファイルを当該クライアントの前記音楽・同期歌詞再生端末に対して配信することを特徴とする同期歌詞配信システム。
【請求項１８】
請求項１５〜１７のいずれかに記載の同期歌詞配信システムに用いる同期歌詞ファイル配信装置であって、
暗号化同期歌詞データを含む同期歌詞ファイルを記憶する同期歌詞ファイルＤＢと、
前記同期歌詞配信システムに参加する同期歌詞配信会員に関する情報を記憶する同期歌詞配信会員ＤＢと、
クライアントから前記同期歌詞ファイルの配信を希望する旨の要求があったとき、前記同期歌詞ファイルＤＢから前記同期歌詞ファイルを取得して当該クライアントの前記同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有することを特徴とする同期歌詞ファイル配信装置。
【請求項１９】
暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、前記暗号化同期歌詞データから音楽再生に同期して歌詞を表示するためのライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、
受信した前記同期歌詞ファイルに含まれる前記暗号化同期歌詞データを一時的に記憶するバッファメモリと、
受信した前記ライセンスキーを記憶するライセンスキー記憶部と、
音楽データを含む音楽ファイルを記憶する音楽ファイル記憶部と、
前記音楽ファイル記憶部が記憶している前記音楽ファイルに含まれる音楽データから音楽を再生する音楽再生部と、
前記ライセンスキーが有効期間内のものである場合にのみ前記バッファメモリに記憶している前記暗号化同期歌詞データから音楽再生に同期して歌詞を表示する同期歌詞表示部と、
音楽・同期歌詞再生が終了するときまでに前記バッファメモリにおける前記暗号化同期歌詞データに係る記憶領域を開放する制御手段とを有することを特徴とする音楽・同期歌詞再生端末。
【請求項２０】
コンピュータを音楽・同期歌詞再生端末として機能させるための音楽・同期歌詞再生端末用プログラムであって、
前記コンピュータに、
暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、
前記暗号化同期歌詞データから音楽再生に同期して歌詞を表示するためのライセンスキーの送信を希望する旨の要求を前記同期歌詞ファイル配信装置に対して送信する機能と、
前記同期歌詞ファイル配信装置から配信された前記同期歌詞ファイルを受信する機能と、
前記同期歌詞ファイル配信装置から送信された前記ライセンスキーを受信する機能と、
受信した前記同期歌詞ファイルに含まれる前記暗号化同期歌詞データを一時的に記憶する機能と、
受信した前記ライセンスキーを記憶する機能と、
音楽データを含む音楽ファイルを記憶する機能と、
前記音楽ファイル記憶部が記憶している前記音楽ファイルに含まれる音楽データから音楽を再生する機能と、
前記ライセンスキーが有効期間内のものである場合にのみ前記バッファメモリに記憶している前記暗号化同期歌詞データから音楽再生に同期して歌詞を表示する機能と、
音楽・同期歌詞再生が終了するときまでに前記バッファメモリにおける前記暗号化同期歌詞データに係る記憶領域を開放する機能とを実現させるための音楽・同期歌詞再生端末用プログラム。
【発明の詳細な説明】
【技術分野】
【０００１】
本発明は、同期歌詞配信システムに関する。
【背景技術】
【０００２】
音楽データと、音楽再生に同期して歌詞を表示するための同期情報を含む歌詞データ（以下、同期歌詞データという。）とを含む同期歌詞付き音楽ファイルをクライアントに配信することで、音楽再生に同期してクライアント端末に歌詞を表示することを可能とする同期歌詞配信システムが知られている（例えば、特許文献１〜３参照。）。
【０００３】
図２２は、特許文献１に開示された従来の同期歌詞配信システム９００を説明するために示す図である。従来の同期歌詞配信システム９００は、図２２に示すように、同期歌詞付き音楽ファイルを配信するプロバイダが所有する同期歌詞付き音楽ファイル配信装置９１０と、同期歌詞付き音楽ファイルの配信を受けるクライアントが所有するクライアント端末９８０とを備える。
【０００４】
同期歌詞付き音楽ファイル配信装置９１０は、音楽データを含む音楽ファイルを記憶する音楽ファイルデータベース（以下、データベースのことをＤＢという。）９２０と、同期歌詞データを含む同期歌詞ファイルを記憶する同期歌詞ファイルＤＢ９３０と、音楽データと同期歌詞データとから同期歌詞付き音楽ファイルを作成する同期歌詞付き音楽ファイル作成部９４０と、同期歌詞付き音楽ファイルにＤＲＭ（デジタル著作権管理技術）を適用して暗号化された同期歌詞付き音楽ファイル９７０を作成するＤＲＭ部９５０と、暗号化された同期歌詞付き音楽ファイル９７０をインターネットを介してクライアント端末９８０に対して配信するウェブサービスサーバ９６０とを備える。
【０００５】
クライアント端末９８０には、予めプロバイダから取得しておいた復号化機能付きの同期歌詞付き音楽ファイル再生プログラムがインストールされている。従って、暗号化された同期歌詞付き音楽ファイル９７０を受信したクライアント端末９８０は、復号化機能付きの同期歌詞付き音楽ファイル再生プログラムを用いることにより、暗号化された同期歌詞付き音楽ファイル９７０を復号化し、その後、復号化された同期歌詞付き音楽ファイルから音楽を再生するとともに音楽再生に同期して表示画面上に歌詞を表示することが可能となる。
【０００６】
従来の同期歌詞配信システム９００によれば、クライアントにとってもプロバイダにとっても以下のように大きな利益が得られる。すなわち、クライアントにとっては、同期歌詞配信システム９００に参加することで、音楽データ及び同期歌詞データを含む同期歌詞付き音楽ファイルをプロバイダから入手することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化された同期歌詞付き音楽ファイル９７０をクライアントに対して配信することで、爾後の適切な著作権管理が可能となり、所定条件下での確実な課金が可能となるという利益が得られる。
【０００７】
【特許文献１】国際公開第２００５／１１４４５７号パンフレット
【特許文献２】特開２００４−３１８１６２号公報
【特許文献３】大韓民国特許出願公開第２００６−２６２１０号明細書
【発明の開示】
【発明が解決しようとする課題】
【０００８】
しかしながら、従来の同期歌詞配信システム９００においては、クライアントが既に音楽ファイルを所有している場合であっても、音楽再生に同期して歌詞を表示するためには、プロバイダから同期歌詞付き音楽ファイルの配信を受けることが必要となる。その結果、同期歌詞付き音楽ファイルに含まれる音楽データについては既に所有している音楽ファイルに含まれる音楽データと重複して著作権管理を受けることとなってしまい、当該音楽データの取得費用が重複して発生することとなるという問題がある。
【０００９】
そこで、本発明は、このような問題を解決するためになされたもので、クライアントが既に音楽ファイルを所有している場合に音楽データの取得費用が重複して発生してしまうという事態が発生することのない同期歌詞配信システムを提供することを目的とする。
【課題を解決するための手段】
【００１０】
（１）本発明の同期歌詞配信システムは、同期歌詞ファイル配信装置と、同期歌詞付き音楽ファイル管理端末と、携帯型音楽・同期歌詞再生端末とを備える同期歌詞配信システムであって、前記同期歌詞ファイル配信装置は、暗号化された同期歌詞データ（以下、暗号化同期歌詞データという。）を含む同期歌詞ファイルを記憶する同期歌詞ファイルＤＢと、前記同期歌詞配信システムに参加する同期歌詞配信会員に関する情報を記憶する同期歌詞配信会員ＤＢと、クライアントから前記同期歌詞ファイルの配信を希望する旨の要求があったとき、前記同期歌詞ファイルＤＢから前記同期歌詞ファイルを取得して当該クライアントの前記同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有し、前記同期歌詞付き音楽ファイル管理端末は、前記同期歌詞ファイルの配信を希望する旨の要求を前記同期歌詞ファイル配信装置に対して送信する機能と、前記ライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、音楽データを含む音楽ファイルを記憶する音楽ファイル記憶部と、受信した前記ライセンスキーを記憶するライセンスキー記憶部と、受信した前記同期歌詞ファイルから前記暗号化同期歌詞データを抽出し、前記音楽ファイルに当該暗号化同期歌詞データを挿入することにより、前記暗号化同期歌詞データを含む同期歌詞付き音楽ファイルを作成する同期歌詞付き音楽ファイル作成部と、前記同期歌詞付き音楽ファイルを記憶する同期歌詞付き音楽ファイル記憶部と、前記同期歌詞付き音楽ファイルを前記携帯型音楽・同期歌詞再生端末に対して送信する機能と、前記ライセンスキーを前記携帯型音楽・同期歌詞再生端末に対して送信する機能とを有するインタフェース部とを有し、前記携帯型音楽・同期歌詞再生端末は、前記同期歌詞付き音楽ファイル管理端末から前記同期歌詞付き音楽ファイルを受信する機能と、前記同期歌詞付き音楽ファイル管理端末から前記ライセンスキーを受信する機能とを有するインタフェース部と、受信した前記同期歌詞付き音楽ファイルを記憶する同期歌詞付き音楽ファイル記憶部と、受信した前記ライセンスキーを記憶するライセンスキー記憶部と、前記同期歌詞付き音楽ファイルに含まれる前記音楽データから音楽を再生する音楽再生部と、前記ライセンスキーが有効期間内のものである場合にのみ前記同期歌詞付き音楽ファイルに含まれる前記暗号化同期歌詞データから音楽再生に同期して歌詞を表示する同期歌詞表示部とを有することを特徴とする。
【００１１】
このため、上記（１）に記載の同期歌詞配信システムによれば、従来の同期歌詞配信システムの場合とは異なり、同期歌詞付き音楽ファイルではなく同期歌詞ファイルがクライアントに対して配信されることとなるため、当該クライアントには重複して音楽データが配信されることがなくなる。その結果、本発明の同期歌詞配信システムによれば、クライアントが既に音楽ファイルを所有している場合に音楽データの取得費用が重複して発生してしまうという事態が発生することがなくなる。
【００１２】
また、上記（１）に記載の同期歌詞配信システムによれば、従来の同期歌詞配信システムの場合と同様に、クライアントにとってもプロバイダにとっても以下のように大きな利益が得られる。すなわち、クライアントにとっては、本発明の同期歌詞配信システムに参加することで、プロバイダから受信した同期歌詞ファイルから暗号化同期歌詞データを抽出し、自己の所有する音楽ファイルに当該暗号化同期歌詞データを挿入することにより、同期歌詞付き音楽ファイルを作成することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを当該クライアントに対して送信することで、爾後の適切な著作権管理が可能となり、所定条件下での確実な課金が可能となるという利益が得られる。
【００１３】
上記（１）に記載の同期歌詞配信システムにおいては、携帯型音楽・同期歌詞再生端末の同期歌詞表示部は、携帯型音楽・同期歌詞再生端末のライセンスキー記憶部が有効期間内のライセンスキーを記憶しているか否かを確認して、その確認がなされた場合にのみ、暗号化同期歌詞データを復号化することができなるように構成されていてもよいし、予め暗号化同期歌詞データを復号化して復号化同期歌詞データを作成しておき、上記確認がなされた場合にのみ、復号化された同期歌詞データから歌詞を表示することができるように構成されていてもよい。
【００１４】
上記（１）に記載の同期歌詞配信システムにおいては、同期歌詞付き音楽ファイル管理端末は、同期歌詞ファイル配信装置に対して、自己が所有する音楽ファイル以外の音楽ファイルに対応する同期歌詞ファイルについては、配信を希望する旨の要求をすることができないように構成されていてもよいし、配信を希望する旨の要求をすることができるように構成されていてもよい。
【００１５】
上記（１）に記載の同期歌詞配信システムにおいては、暗号化同期歌詞データを音楽ファイルに挿入する方法としては、音楽ファイルにおけるヘッダ領域などの管理領域に暗号化同期歌詞データを書き込む方法や、電子透かし技術により音楽ファイルにおける音楽データ領域に暗号化同期歌詞データを書き込む方法などを好ましく用いることができる。
【００１６】
上記（１）に記載の同期歌詞配信システムにおいては、ライセンスキーの有効期間としては、例えば１カ月間（例えば、月初〜月末。）を好ましく例示することができる。
【００１７】
上記（１）に記載の同期歌詞配信システムにおいては、音楽ファイルとして、ＭＰ３、ＷＭＡ、ＡＡＣ（ドルビー  ラボラトリーズ  ライセンシング  コーポレーションの登録商標。）などのフォーマット形式の音楽ファイルを好ましく用いることができる。
【００１８】
（２）上記（１）に記載の同期歌詞配信システムにおいては、前記同期歌詞付き音楽ファイル管理端末の前記同期歌詞付き音楽ファイル記憶部及び前記携帯型音楽・同期歌詞再生端末の前記同期歌詞付き音楽ファイル記憶部は、前記ライセンスキーが有効期間内のものでない場合であっても、前記同期歌詞付き音楽ファイルを記憶し続ける機能をさらに有することが好ましい。
【００１９】
このように構成することにより、ライセンスキーの有効期間が経過した後であっても、同期歌詞付き音楽ファイル管理端末は、既に作成した同期歌詞付き音楽ファイルを記憶し続けることが可能となり、携帯型音楽・同期歌詞再生端末は、既に記憶している同期歌詞付き音楽ファイルを記憶し続けることが可能となるため、例えばクライアントが本発明の同期歌詞配信システムへの参加を取り止めた後、再参加するなどしてライセンスキーを再度取得したような場合であっても、参加を取り止める前に作成しておいた同期歌詞付き音楽ファイルに含まれる暗号化同期歌詞データから音楽再生に同期して歌詞を表示することが可能となる。
【００２０】
（３）上記（２）に記載の同期歌詞配信システムにおいては、前記携帯型音楽・同期歌詞再生端末の前記音楽再生部は、前記ライセンスキーが有効期間内のものでない場合であっても、前記同期歌詞付き音楽ファイルに含まれる前記音楽データから音楽を再生する機能をさらに有することが好ましい。
【００２１】
このように構成することにより、ライセンスキーの有効期間が経過した後であっても、歌詞が表示されないだけで音楽を再生することが可能となるため、例えばクライアントが本発明の同期歌詞配信システムへの参加を取り止めてライセンスキーを失ったとしても、既に作成した同期歌詞付き音楽ファイルが無駄になってしまうということがなくなる。
【００２２】
（４）上記（１）〜（３）のいずれかに記載の同期歌詞配信システムにおいては、前記同期歌詞付き音楽ファイル管理端末は、前記同期歌詞付き音楽ファイルに含まれる前記音楽データから音楽を再生する音楽再生部と、前記ライセンスキーが有効期間内のものである場合にのみ前記同期歌詞付き音楽ファイルに含まれる前記暗号化同期歌詞データから音楽再生に同期して歌詞を表示する同期歌詞表示部とをさらに有することが好ましい。
【００２３】
このように構成することにより、同期歌詞付き音楽ファイル管理端末を用いることによっても、同期歌詞付き音楽ファイルに含まれる暗号化同期歌詞データから音楽再生に同期して歌詞を表示することが可能となり、クライアントにとっての利便性が高まる。
【００２４】
上記（４）に記載の同期歌詞配信システムにおいては、同期歌詞付き音楽ファイル管理端末の同期歌詞表示部は、同期歌詞付き音楽ファイル管理端末のライセンスキー記憶部が有効期間内のライセンスキーを記憶しているか否かを確認して、その確認がなされた場合にのみ、暗号化同期歌詞データを復号化することができるように構成されていてもよいし、予め暗号化同期歌詞データを復号化して復号化同期歌詞データを作成しておき、上記確認がなされた場合にのみ、復号化された同期歌詞データから歌詞を表示することができるように構成されていてもよい。
【００２５】
（５）上記（４）に記載の同期歌詞配信システムにおいては、前記同期歌詞付き音楽ファイル管理端末の前記同期歌詞表示部は、前記ライセンスキーが有効期間内のものでない場合又は前記ライセンスキーそのものを所有していない場合であっても、前記同期歌詞付き音楽ファイルに含まれる前記暗号化同期歌詞データから歌詞の一部を表示することができるように構成されていることが好ましい。
【００２６】
このように構成することにより、ライセンスキーそのものを所有していないクライアントに対しては、本発明の同期歌詞配信システムの機能の一部を体験させることで、本発明の同期歌詞配信システムの素晴らしさ、楽しさなどを知らしめることができ、本発明の同期歌詞配信システムへの参加を促すことが可能となる。また、ライセンスキーの有効期間が経過したクライアントに対しては、本発明の同期歌詞配信システムの機能の一部を再体験させることで、本発明の同期歌詞配信システムの素晴らしさ、楽しさなどを再認識させることができ、本発明の同期歌詞配信システムへの再参加を促すことが可能となる。
【００２７】
本発明の同期歌詞配信システムにおいては、歌詞の一部として、例えば、曲の頭から４５秒間の歌詞を例示することができる。
【００２８】
この場合、同期歌詞付き音楽ファイル管理端末の同期歌詞表示部は、ライセンスキーが有効期間内のものでない場合又はライセンスキーそのものを所有していない場合には、暗号化同期歌詞データのうち曲の頭から４５秒間の部分の暗号化同期歌詞データのみを復号化することができるように構成されていてもよいし、予め１曲分の暗号化同期歌詞データを復号化しておくとともに、上記場合には曲の頭から４５秒間の部分のみ歌詞を表示することができるように構成されていてもよい。
【００２９】
（６）上記（１）〜（５）のいずれかに記載の同期歌詞配信システムにおいては、前記携帯型音楽・同期歌詞再生端末として、複数種類の携帯型音楽・同期歌詞再生端末を備え、前記同期歌詞付き音楽ファイル管理端末の前記同期歌詞付き音楽ファイル作成部は、前記複数種類の携帯型音楽・同期歌詞再生端末のそれぞれに対応するように前記同期歌詞付き音楽ファイルを作成する機能を有することが好ましい。
【００３０】
このように構成することにより、携帯型音楽・同期歌詞再生端末は、自己の表示性能に相応しい同期歌詞付き音楽ファイルを取得することが可能となる。例えば、携帯型音楽・同期歌詞再生端末が「白黒、１６文字×１行」の表示性能を有する表示装置を備えるものである場合には、これに対応した同期歌詞データを含む同期歌詞付き音楽ファイルを取得することが可能となる。また、携帯型音楽・同期歌詞再生端末が「白黒、１６文字×２行」の表示性能を有する表示装置を備えるものである場合には、これに対応した同期歌詞データを含む同期歌詞付き音楽ファイルを取得することが可能となる。また、携帯型音楽・同期歌詞再生端末が「フルカラー、１６文字×２行」の表示性能を有する表示装置を備えるものである場合には、これに対応した同期歌詞データを含む同期歌詞付き音楽ファイルを取得することが可能となる。
【００３１】
（７）上記（１）〜（６）のいずれかに記載の同期歌詞配信システムにおいては、前記ウェブサービスサーバは、クライアントから前記同期歌詞ファイルの配信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記同期歌詞ファイルＤＢから前記同期歌詞ファイルを取得して当該クライアントの前記同期歌詞付き音楽ファイル管理端末に対して配信することが好ましい。
【００３２】
このように構成することにより、クライアントが現時点で有効な同期歌詞配信会員である場合にのみ、当該クライアントに対して同期歌詞ファイルを送信することで、適切な著作権管理を行うことが可能となる。
【００３３】
なお、本発明の同期歌詞配信システムにおいては、クライアントは自己のコンピュータ（ＰＣ、ＰＤＡを含む。）を同期歌詞付き音楽ファイル管理端末として機能させるためのマネージャプログラム（同期歌詞付き音楽ファイル管理端末用プログラム）を、予めプロバイダから入手して自己のコンピュータにインストールしておくことが好ましい。クライアントはマネージャプログラムを、ＣＤ−ＲＯＭなどの記憶媒体を介して入手することもできるし、インターネットを介して入手することもできる。
【００３４】
（８）上記（７）に記載の同期歌詞配信システムにおいては、前記同期歌詞ファイル配信装置は、前記音楽ファイルを記憶する音楽ファイルＤＢと、前記音楽ファイルＤＢが記憶する前記音楽ファイルと前記同期歌詞ファイルＤＢが記憶する前記同期歌詞ファイルとから前記暗号化同期歌詞データを含む同期歌詞付き音楽ファイルを作成する同期歌詞付き音楽ファイル作成部とをさらに備え、前記ウェブサービスサーバは、クライアントから前記同期歌詞付き音楽ファイルの配信を希望する旨の要求があったとき、前記同期歌詞ファイル配信装置の前記同期歌詞付き音楽ファイル作成部から前記同期歌詞付き音楽ファイルを取得して当該クライアントの前記同期歌詞付き音楽ファイル管理端末に対して配信する機能をさらに有することが好ましい。
【００３５】
このように構成することにより、クライアントから同期歌詞付き音楽ファイルの配信を希望する旨の要求があった場合には、要求のあった同期歌詞付き音楽ファイルを当該クライアントの同期歌詞付き音楽ファイル管理端末に対して配信することが可能となる。
【００３６】
なお、クライアントからこのような要求がある場合としては、クライアントが当該音楽ファイルそのものを所有していない場合が考えられる。このような場合には、そもそもクライアントは当該音楽ファイルそのものを所有していないのであるから、音楽データの取得費用が重複して発生してしまうという事態が発生することはない。同期歌詞付き音楽ファイル管理端末は、自らが同期歌詞付き音楽ファイルを作成せずに、同期歌詞ファイル配信装置の同期歌詞付き音楽ファイル作成部が作成した同期歌詞付き音楽ファイルを受信して管理すればよい。
【００３７】
（９）上記（７）に記載の同期歌詞配信システムにおいては、前記同期歌詞ファイル配信装置は、ネットワークを介して音楽ファイルを取得する音楽ファイル取得サーバと、前記音楽ファイル取得サーバが取得した前記音楽ファイルと前記同期歌詞ファイルＤＢが記憶する前記同期歌詞ファイルとから前記同期歌詞付き音楽ファイルを作成する同期歌詞付き音楽ファイル作成部とをさらに備え、前記ウェブサービスサーバは、クライアントから前記同期歌詞付き音楽ファイルの配信を希望する旨の要求があったとき、前記同期歌詞ファイル配信装置の前記同期歌詞付き音楽ファイル作成部から前記同期歌詞付き音楽ファイルを取得して当該クライアントの前記同期歌詞付き音楽ファイル管理端末に対して配信する機能をさらに有することが好ましい。
【００３８】
このように構成することによっても、クライアントから同期歌詞付き音楽ファイルの配信を希望する旨の要求があった場合には、要求のあった同期歌詞付き音楽ファイルを当該クライアントの同期歌詞付き音楽ファイル管理端末に対して配信することが可能となる。
【００３９】
（１０）上記（７）に記載の同期歌詞配信システムにおいては、前記同期歌詞ファイル配信装置は、音楽データ及び暗号化同期歌詞データを含む同期歌詞付き音楽ファイルを記憶する同期歌詞付き音楽ファイルＤＢをさらに備え、前記ウェブサービスサーバは、クライアントから前記同期歌詞付き音楽ファイルの配信を希望する旨の要求があったとき、前記同期歌詞付き音楽ファイルＤＢから前記同期歌詞付き音楽ファイルを取得して当該クライアントの前記同期歌詞付き音楽ファイル管理端末に対して配信する機能をさらに有することが好ましい。
【００４０】
このように構成することによっても、クライアントから同期歌詞付き音楽ファイルの配信を希望する旨の要求があった場合には、要求のあった同期歌詞付き音楽ファイルを当該クライアントの同期歌詞付き音楽ファイル管理端末に対して配信することが可能となる。
【００４１】
（１１）本発明の同期歌詞ファイル配信装置は、暗号化された同期歌詞データ（以下、暗号化同期歌詞データという。）を含む同期歌詞ファイルを記憶する同期歌詞ファイルＤＢと、前記同期歌詞ファイルの配信を希望する同期歌詞配信会員が有効か否かを特定するための情報を記憶する同期歌詞配信会員ＤＢと、クライアントから前記同期歌詞ファイルの配信を希望する旨の要求があったとき、前記同期歌詞ファイルＤＢから前記同期歌詞ファイルを取得して当該クライアントの同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有することを特徴とする。
【００４２】
上記（１１）に記載の同期歌詞ファイル配信装置は、上記（１）〜（１０）のいずれかに記載の同期歌詞配信システムに用いることができる同期歌詞ファイル配信装置となる。
【００４３】
（１２）本発明の同期歌詞付き音楽ファイル管理端末は、暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、前記暗号化同期歌詞データから音楽再生に同期して歌詞を表示するためのライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、音楽データを含む音楽ファイルを記憶する音楽ファイル記憶部と、受信した前記ライセンスキーを記憶するライセンスキー記憶部と、受信した前記同期歌詞ファイルから前記暗号化同期歌詞データを抽出し、前記音楽ファイルに当該暗号化同期歌詞データを挿入することにより、前記暗号化同期歌詞データを含む同期歌詞付き音楽ファイルを作成する同期歌詞付き音楽ファイル作成部と、前記同期歌詞付き音楽ファイルを記憶する同期歌詞付き音楽ファイル記憶部と、前記同期歌詞付き音楽ファイルを携帯型音楽・同期歌詞再生端末に対して送信する機能と、前記ライセンスキーを前記携帯型音楽・同期歌詞再生端末に対して送信する機能とを有するインタフェース部とを有することを特徴とする。
【００４４】
上記（１２）に記載の同期歌詞付き音楽ファイル管理端末は、上記（１）〜（１０）のいずれかに記載の同期歌詞配信システムに用いることができる同期歌詞付き音楽ファイル管理端末となる。
【００４５】
（１３）本発明の携帯型音楽・同期歌詞再生端末は、暗号化された同期歌詞データ（以下、暗号化同期歌詞データという。）を含む同期歌詞ファイルから前記暗号化同期歌詞データを抽出し、音楽ファイルに当該暗号化同期歌詞データを挿入することにより、前記暗号化同期歌詞データを含む同期歌詞付き音楽ファイルを作成する同期歌詞付き音楽ファイル管理端末から、前記同期歌詞付き音楽ファイルを受信する機能と、前記同期歌詞付き音楽ファイル管理端末から、前記暗号化同期歌詞データから音楽再生に同期して歌詞を表示するためのライセンスキーを受信する機能とを有するインタフェース部と、受信した前記同期歌詞付き音楽ファイルを記憶する同期歌詞付き音楽ファイル記憶部と、受信した前記ライセンスキーを記憶するライセンスキー記憶部と、前記同期歌詞付き音楽ファイルに含まれる前記音楽データから音楽を再生する音楽再生部と、前記ライセンスキーが有効期間内のものである場合にのみ前記同期歌詞付き音楽ファイルに含まれる前記暗号化同期歌詞データから音楽再生に同期して歌詞を表示する同期歌詞表示部とを有することを特徴とする。
【００４６】
上記（１３）に記載の携帯型音楽・同期歌詞再生端末は、上記（１）〜（１０）のいずれかに記載の同期歌詞配信システムに用いることができる携帯型音楽・同期歌詞再生端末となる。
【００４７】
（１４）本発明の同期歌詞付き音楽ファイル管理端末用プログラムは、コンピュータを同期歌詞付き音楽ファイル管理端末として機能させるための同期歌詞付き音楽ファイル管理端末用プログラムであって、前記コンピュータに、暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、前記暗号化同期歌詞データから音楽再生に同期して歌詞を表示するためのライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能と、音楽データを含む音楽ファイルを記憶する機能と、受信した前記ライセンスキーを記憶する機能と、受信した前記同期歌詞ファイルから前記暗号化同期歌詞データを抽出し、前記音楽ファイルに当該暗号化同期歌詞データを挿入することにより、前記暗号化同期歌詞データを含む同期歌詞付き音楽ファイルを作成する機能と、前記同期歌詞付き音楽ファイルを記憶する機能と、前記同期歌詞付き音楽ファイルを携帯型音楽・同期歌詞再生端末に対して送信する機能と、前記ライセンスキーを前記携帯型音楽・同期歌詞再生端末に対して送信する機能とを実現させるための同期歌詞付き音楽ファイル管理端末用プログラムである。
【００４８】
上記（１４）に記載の同期歌詞付き音楽ファイル管理端末用プログラムによれば、コンピュータを、上記（１２）に記載の同期歌詞付き音楽ファイル管理端末として機能させることが可能となる。
【００４９】
（１５）本発明の同期歌詞配信システムは、同期歌詞ファイル配信装置と、音楽・同期歌詞再生端末とを備える同期歌詞配信システムであって、前記同期歌詞ファイル配信装置は、暗号化された同期歌詞データ（以下、暗号化同期歌詞データという。）を含む同期歌詞ファイルを記憶する同期歌詞ファイルＤＢと、前記同期歌詞配信システムに参加する同期歌詞配信会員に関する情報を記憶する同期歌詞配信会員ＤＢと、クライアントから前記同期歌詞ファイルの配信を希望する旨の要求があったとき、前記同期歌詞ファイルＤＢから前記同期歌詞ファイルを取得して当該クライアントの前記同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有し、前記音楽・同期歌詞再生端末は、前記同期歌詞ファイルの配信を希望する旨の要求を前記同期歌詞ファイル配信装置に対して送信する機能と、前記ライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、受信した前記同期歌詞ファイルに含まれる前記暗号化同期歌詞データを一時的に記憶するバッファメモリと、受信した前記ライセンスキーを記憶するライセンスキー記憶部と、音楽データを含む音楽ファイルを記憶する音楽ファイル記憶部と、前記音楽ファイル記憶部が記憶している前記音楽ファイルに含まれる音楽データから音楽を再生する音楽再生部と、前記ライセンスキーが有効期間内のものである場合にのみ前記バッファメモリに記憶している前記暗号化同期歌詞データから音楽再生に同期して歌詞を表示する同期歌詞表示部と、音楽・同期歌詞再生が終了するときまでに前記バッファメモリにおける前記暗号化同期歌詞データに係る記憶領域を開放する制御手段とを有することを特徴とする。
【００５０】
このため、上記（１５）に記載の同期歌詞配信システムによれば、上記（１）に記載の同期歌詞配信システムの場合と同様に、同期歌詞付き音楽ファイルではなく同期歌詞ファイルがクライアントに対して配信されることとなるため、当該クライアントには重複して音楽データが配信されることがなくなる。その結果、本発明の同期歌詞配信システムによれば、クライアントが既に音楽ファイルを所有している場合に音楽データの取得費用が重複して発生してしまうという事態が発生することがなくなる。
【００５１】
また、上記（１５）に記載の同期歌詞配信システムによれば、上記（１）に記載の同期歌詞配信システムの場合と同様に、クライアントにとってもプロバイダにとっても以下のように大きな利益が得られる。すなわち、クライアントにとっては、本発明の同期歌詞配信システムに参加することで、プロバイダから受信した同期歌詞ファイルに含まれる暗号化同期歌詞データから音楽再生に同期して歌詞を表示することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを当該クライアントに対して送信することで、また、クライアントが音楽・同期歌詞再生が終了するときまでにバッファメモリに記憶している暗号化同期歌詞データに係る記憶領域を開放することで、爾後の適切な著作権管理が可能となり、所定条件下での確実な課金が可能となるという利益が得られる。
【００５２】
上記（１５）に記載の同期歌詞配信システムにおいては、音楽・同期歌詞再生端末の同期歌詞表示部は、音楽・同期歌詞再生端末のライセンスキー記憶部が有効期間内のライセンスキーを記憶しているか否かを確認して、その確認がなされた場合にのみ、暗号化同期歌詞データを復号化することができるように構成されていてもよいし、予め暗号化同期歌詞データを復号化して復号化同期歌詞データを作成しておき、上記確認がなされた場合にのみ、復号化された同期歌詞データから歌詞を表示することができるように構成されていてもよい。
【００５３】
上記（１５）に記載の同期歌詞配信システムにおいては、暗号化同期歌詞データに係る記憶領域を開放するタイミングとしては、暗号化同期歌詞データを復号化して復号化同期歌詞データを作成するとき、音楽・同期歌詞再生が終了するときなどを例示することができる。この場合、音楽・同期歌詞再生が終了するときには、復号化同期歌詞データに係る記憶領域も開放されることとなる。
【００５４】
上記（１５）に記載の同期歌詞配信システムにおいては、同期歌詞付き音楽ファイル管理端末は、同期歌詞ファイル配信装置に対して、自己が所有する音楽ファイル以外の音楽ファイルに対応する同期歌詞ファイルについては、配信を希望する旨の要求をすることができないように構成されていてもよいし、配信を希望する旨の要求をすることができるように構成されていてもよい。
【００５５】
上記（１５）に記載の同期歌詞配信システムにおいては、上記（１）に記載の同期歌詞配信システムの場合と同様に、音楽ファイルとして、ＭＰ３、ＷＭＡ、ＡＡＣなどのフォーマット形式の音楽ファイルを好ましく用いることができる。
【００５６】
（１６）上記（１５）に記載の同期歌詞配信システムにおいては、前記同期歌詞表示部は、前記ライセンスキーが有効期間内のものでない場合又は前記ライセンスキーそのものを所有していない場合であっても、前記暗号化同期歌詞データから歌詞の一部を表示することができるように構成されていることが好ましい。
【００５７】
このように構成することにより、ライセンスキーそのものを所有していないクライアントに対しては、本発明の同期歌詞配信システムの機能の一部を体験させることで、本発明の同期歌詞配信システムの素晴らしさ、楽しさなどを知らしめることができ、本発明の同期歌詞配信システムへの参加を促すことが可能となる。また、ライセンスキーの有効期間が経過したクライアントに対しては、本発明の同期歌詞配信システムの機能の一部を再体験させることで、本発明の同期歌詞配信システムの素晴らしさ、楽しさなどを再認識させることができ、本発明の同期歌詞配信システムへの再参加を促すことが可能となる。
【００５８】
上記（１６）に記載の同期歌詞配信システムにおいては、歌詞の一部として、例えば、曲の頭から４５秒間の歌詞を例示することができる。
【００５９】
この場合、同期歌詞表示部は、ライセンスキーが有効期間内のものでない場合又はライセンスキーそのものを所有していない場合には、暗号化同期歌詞データのうち曲の頭から４５秒間の部分の暗号化同期歌詞データのみを復号化することができるように構成されていてもよいし、予め１曲分の暗号化同期歌詞データを復号化しておくとともに、上記場合には曲の頭から４５秒間の部分のみ歌詞を表示することができるように構成されていてもよい。
【００６０】
（１７）上記（１５）又は（１６）に記載の同期歌詞配信システムにおいては、前記ウェブサービスサーバは、クライアントから前記同期歌詞ファイルの配信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記同期歌詞ファイルを当該クライアントの前記音楽・同期歌詞再生端末に対して配信することが好ましい。
【００６１】
このように構成することにより、クライアントが現時点で有効な同期歌詞配信会員である場合にのみ、当該クライアントに対して同期歌詞ファイルを配信することで、適切な著作権管理を行うことが可能となる。
【００６２】
なお、上記（１７）に記載の同期歌詞配信システムにおいては、クライアントは自己のコンピュータ（ＰＣ、ＰＤＡを含む。）を音楽・同期歌詞再生端末として機能させるためのマネージャプログラム（音楽・同期歌詞再生端末用プログラム）を、予めプロバイダから入手して自己のコンピュータにインストールしておくことが好ましい。クライアントはマネージャプログラムを、ＣＤ−ＲＯＭなどの記憶媒体を介して入手することもできるし、インターネットを介して入手することもできる。
【００６３】
（１８）本発明の同期歌詞ファイル配信装置は、上記（１５）〜（１７）のいずれかに記載の同期歌詞配信システムに用いる同期歌詞ファイル配信装置であって、暗号化同期歌詞データを含む同期歌詞ファイルを記憶する同期歌詞ファイルＤＢと、前記同期歌詞配信システムに参加する同期歌詞配信会員に関する情報を記憶する同期歌詞配信会員ＤＢと、クライアントから前記同期歌詞ファイルの配信を希望する旨の要求があったとき、前記同期歌詞ファイルＤＢから前記同期歌詞ファイルを取得して当該クライアントの前記同期歌詞付き音楽ファイル管理端末に対して配信する機能と、クライアントから、前記暗号化同期歌詞データから音楽再生に同期して歌詞を表示するためのライセンスキーの送信を希望する旨の要求があったとき、当該クライアントが現時点で有効な同期歌詞配信会員であるか否かを前記同期歌詞配信会員ＤＢが記憶する情報と照合して、当該クライアントが現時点で有効な同期歌詞配信会員であると確認された場合に、前記ライセンスキーを当該クライアントの前記同期歌詞付き音楽ファイル管理端末に対して送信する機能とを有するウェブサービスサーバとを有することを特徴とする。
【００６４】
上記（１８）に記載の同期歌詞ファイル配信装置は、上記（１５）〜（１７）のいずれかに記載の同期歌詞配信システムに用いることができる同期歌詞ファイル配信装置となる。
【００６５】
（１９）本発明の音楽・同期歌詞再生端末は、暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、前記暗号化同期歌詞データから音楽再生に同期して歌詞を表示するためのライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能とを有する送受信部と、受信した前記同期歌詞ファイルに含まれる前記暗号化同期歌詞データを一時的に記憶するバッファメモリと、受信した前記ライセンスキーを記憶するライセンスキー記憶部と、音楽データを含む音楽ファイルを記憶する音楽ファイル記憶部と、前記音楽ファイル記憶部が記憶している前記音楽ファイルに含まれる音楽データから音楽を再生する音楽再生部と、前記ライセンスキーが有効期間内のものである場合にのみ前記バッファメモリに記憶している前記暗号化同期歌詞データから音楽再生に同期して歌詞を表示する同期歌詞表示部と、音楽・同期歌詞再生が終了するときまでに前記バッファメモリにおける前記暗号化同期歌詞データに係る記憶領域を開放する制御手段とを有することを特徴とする。
【００６６】
上記（１９）に記載の音楽・同期歌詞再生端末は、上記（１５）〜（１７）のいずれかに記載の同期歌詞配信システムに用いることができる音楽・同期歌詞再生端末となる。
【００６７】
（２０）本発明の音楽・同期歌詞再生端末用プログラムは、コンピュータを音楽・同期歌詞再生端末として機能させるための音楽・同期歌詞再生端末用プログラムであって、前記コンピュータに、暗号化された同期歌詞データ（以下、暗号化同期歌詞データという。）を含む同期歌詞ファイルを記憶する同期歌詞ファイル配信装置に対して、前記同期歌詞ファイルの配信を希望する旨の要求を送信する機能と、前記暗号化同期歌詞データから音楽再生に同期して歌詞を表示するためのライセンスキーの送信を希望する旨の要求を前記同期歌詞ファイル配信装置に対して送信する機能と、前記同期歌詞ファイル配信装置から配信された前記同期歌詞ファイルを受信する機能と、前記同期歌詞ファイル配信装置から送信された前記ライセンスキーを受信する機能と、受信した前記同期歌詞ファイルに含まれる前記暗号化同期歌詞データを一時的に記憶する機能と、受信した前記ライセンスキーを記憶する機能と、音楽データを含む音楽ファイルを記憶する機能と、前記音楽ファイル記憶部が記憶している前記音楽ファイルに含まれる音楽データから音楽を再生する機能と、前記ライセンスキーが有効期間内のものである場合にのみ前記バッファメモリに記憶している前記暗号化同期歌詞データから音楽再生に同期して歌詞を表示する機能と、音楽・同期歌詞再生が終了するときまでに前記バッファメモリにおける前記暗号化同期歌詞データに係る記憶領域を開放する機能とを実現させるための音楽・同期歌詞再生端末用プログラムである。
【００６８】
上記（２０）に記載の音楽・同期歌詞再生端末用プログラムによれば、コンピュータを、上記（１９）に記載の音楽・同期歌詞再生端末として機能させることが可能となる。
【発明を実施するための最良の形態】
【００６９】
以下、本発明の同期歌詞配信システム、同期歌詞ファイル配信装置、同期歌詞付き音楽ファイル管理端末、携帯型音楽・同期歌詞再生端末、同期歌詞付き音楽ファイル管理端末用プログラム、音楽・同期歌詞再生端末及び音楽・同期歌詞再生端末用プログラムについて、図に示す実施の形態に基づいて説明する。
【００７０】
〔実施形態１〕
実施形態１は、既に音楽ファイルを所有しているクライアントが、本発明の同期歌詞配信システムを利用して同期歌詞ファイルの配信を受ける場合を想定した実施形態である。また、実施形態１は、プロバイダが所有する同期歌詞ファイルとクライアントが所有する音楽ファイルとから、クライアントにおいて同期歌詞付き音楽ファイルを作成する場合を説明するための実施形態である。なお、クライアントにおいて作成された同期歌詞付き音楽ファイルは、後述する実施形態５の場合とは異なり、音楽・同期歌詞再生後もクライアント側に残る。
【００７１】
まず、実施形態１に係る同期歌詞配信システム１００の構成について、図１〜図４を用いて説明する。
【００７２】
図１は、実施形態１に係る同期歌詞配信システム１００を説明するために示す図である。図２は、実施形態１に係る同期歌詞配信システム１００における同期歌詞付き音楽ファイル管理端末３００の機能ブロック図である。図３は、実施形態１に係る同期歌詞配信システム１００における携帯型音楽・同期歌詞再生端末４００の機能ブロック図である。図４は、同期歌詞付き音楽ファイル３０を説明するために示す図である。
【００７３】
実施形態１に係る同期歌詞配信システム１００は、図１に示すように、同期歌詞ファイル配信装置２００と、同期歌詞付き音楽ファイル管理端末３００と、携帯型音楽・同期歌詞再生端末４００とを備える。実施形態１に係る同期歌詞配信システム１００においては、プロバイダが同期歌詞ファイル配信装置２００を所有しており、クライアントが同期歌詞付き音楽ファイル管理端末３００及び携帯型音楽・同期歌詞再生端末４００を所有している。
【００７４】
同期歌詞ファイル配信装置２００は、暗号化された同期歌詞データ２２（以下、暗号化同期歌詞データという。）を含む同期歌詞ファイル２０を記憶する同期歌詞ファイルＤＢ２１０と、音楽再生に同期して歌詞を表示するための同期情報を含まない、単なるテキストデータからなる歌詞データ（以下、非同期歌詞データという。）を含む非同期歌詞ファイルを記憶する非同期歌詞ファイルＤＢ２２０と、同期歌詞配信システム１００に参加する同期歌詞配信会員に関する情報を記憶する同期歌詞配信会員ＤＢ２３０と、クライアントの同期歌詞付き音楽ファイル管理端末３００との間で各種データの送受信を行うウェブサービスサーバ２４０とを有する。
【００７５】
ウェブサービスサーバ２４０は、クライアントから同期歌詞ファイル２０の配信を希望する旨の要求があったとき、当該クライアントが現時点で有効な同期歌詞配信会員であるか否かを同期歌詞配信会員ＤＢ２３０が記憶する情報と照合して、当該クライアントが現時点で有効な同期歌詞配信会員であると確認された場合に、同期歌詞ファイルＤＢ２１０から同期歌詞ファイル２０を取得して当該クライアントの同期歌詞付き音楽ファイル管理端末３００に対して配信する。即ち、同期会配信会員ＤＢ２３０は、同期歌詞ファイルの配信を希望する同期歌詞配信会員が有効か否かを特定するための情報を少なくとも記憶している。
【００７６】
また、ウェブサービスサーバ２４０は、クライアントから、暗号化同期歌詞データ２２（図４参照。）から音楽再生に同期して歌詞を表示するためのライセンスキー４０の配信を希望する旨の要求があったとき、当該クライアントが現時点で有効な同期歌詞配信会員であるか否かを同期歌詞配信会員ＤＢ２３０が記憶する情報と照合して、当該クライアントが現時点で有効な同期歌詞配信会員であると確認された場合に、ライセンスキー４０を当該クライアントの同期歌詞付き音楽ファイル管理端末３００に対して送信する。
【００７７】
同期歌詞付き音楽ファイル管理端末３００は、図２に示すように、同期歌詞ファイル配信装置２００との間で各種データの送受信を行う送受信部３１０と、音楽データ１２を含む音楽ファイル１０を記憶する音楽ファイル記憶部３２０と、受信したライセンスキー４０を記憶するライセンスキー記憶部３５０と、受信した同期歌詞ファイル２０から暗号化同期歌詞データ２２を抽出し、音楽ファイル１０に当該暗号化同期歌詞データ２２を挿入することにより、暗号化同期歌詞データ２２を含む同期歌詞付き音楽ファイル３０（図４参照。）を作成する同期歌詞付き音楽ファイル作成部３３０と、同期歌詞付き音楽ファイル３０を記憶する同期歌詞付き音楽ファイル記憶部３４０と、同期歌詞付き音楽ファイル３０に含まれる音楽データ１２から音楽を再生する音楽再生部３６０と、ライセンスキー４０が有効期間内のものである場合にのみ同期歌詞付き音楽ファイル３０に含まれる暗号化同期歌詞データ２２から音楽再生に同期して歌詞を表示する同期歌詞表示部３７０と、携帯型音楽・同期歌詞再生端末４００との間で各種データの送受信を行うインタフェース部３８０とを有する。
【００７８】
送受信部３１０は、同期歌詞ファイル２０の配信を希望する旨の要求を同期歌詞ファイル配信装置２００に対して送信する機能と、ライセンスキー４０の送信を希望する旨の要求を同期歌詞ファイル配信装置２００に対して送信する機能と、同期歌詞ファイル配信装置２００から配信された同期歌詞ファイル２０を受信する機能と、同期歌詞ファイル配信装置２００から送信されたライセンスキー４０を受信する機能とを有する。
【００７９】
同期歌詞付き音楽ファイル管理端末３００（送受信部３１０）は、同期歌詞ファイル配信装置２００に対して、自己が所有する音楽ファイル以外の音楽ファイルに対応する同期歌詞ファイルについては、配信を希望する旨の要求をすることができないように構成されている。
【００８０】
同期歌詞付き音楽ファイル記憶部３４０は、ライセンスキー４０が有効期間内のものでない場合であっても、同期歌詞付き音楽ファイル３０を記憶し続ける機能を有する。
【００８１】
音楽再生部３６０は、音楽ファイル記憶部３２０が記憶している音楽ファイル１０に含まれる音楽データ１２から音楽を再生する機能と、同期歌詞付き音楽ファイル記憶部３４０が記憶している同期歌詞付き音楽ファイル３０に含まれる音楽データ１２から音楽を再生する機能とを有する。
【００８２】
同期歌詞表示部３７０は、ライセンスキー記憶部３５０が有効期間内のライセンスキー４０を記憶しているか否かを確認して、その確認がなされた場合にのみ、暗号化同期歌詞データ２２を復号化することができるように構成されていてもよいし、予め暗号化同期歌詞データ２２を復号化して復号化同期歌詞データ２４を作成しておき、上記確認がなされた場合にのみ、復号化同期歌詞データ２４から歌詞を表示することができるように構成されていてもよい。
【００８３】
同期歌詞表示部３７０は、ライセンスキー４０が有効期間内のものでない場合又はライセンスキー４０そのものを所有していない場合であっても、同期歌詞付き音楽ファイル３０に含まれる暗号化同期歌詞データ２２から歌詞の一部（例えば、曲の頭から４５秒間の歌詞。）を表示することができるように構成されている。
【００８４】
同期歌詞表示部３７０は、予め１曲分の暗号化同期歌詞データを復号化しておくとともに、ライセンスキー４０が有効期間内のものでない場合又はライセンスキー４０そのものを所有していない場合には、曲の頭から４５秒間の部分のみ歌詞を表示することができるように構成されている。
【００８５】
インタフェース部３８０は、同期歌詞付き音楽ファイル３０を携帯型音楽・同期歌詞再生端末４００に対して送信（転送）する機能と、ライセンスキー４０を携帯型音楽・同期歌詞再生端末４００に対して送信する機能とを有する。
【００８６】
携帯型音楽・同期歌詞再生端末４００は、図３に示すように、同期歌詞付き音楽ファイル管理端末３００との間で各種データの送受信を行うインタフェース部４１０と、受信した同期歌詞付き音楽ファイル３０を記憶する同期歌詞付き音楽ファイル記憶部４２０と、受信したライセンスキー４０を記憶するライセンスキー記憶部４３０と、同期歌詞付き音楽ファイル３０に含まれる音楽データ１２から音楽を再生する音楽再生部４４０と、ライセンスキー４０が有効期間内のものである場合にのみ同期歌詞付き音楽ファイル３０に含まれる暗号化同期歌詞データ２２から音楽再生に同期して歌詞を表示する同期歌詞表示部４５０とを有する。
【００８７】
インタフェース部４１０は、同期歌詞付き音楽ファイル管理端末３００から同期歌詞付き音楽ファイル３０を受信する機能と、同期歌詞付き音楽ファイル管理端末３００からライセンスキー４０を受信する機能とを有する。
【００８８】
同期歌詞付き音楽ファイル記憶部４２０は、ライセンスキー４０が有効期間内のものでない場合であっても、同期歌詞付き音楽ファイル３０を記憶し続ける機能を有する。
【００８９】
音楽再生部４４０は、ライセンスキー４０が有効期間内のものでない場合であっても、同期歌詞付き音楽ファイル３０に含まれる音楽データ１２から音楽を再生する機能をさらに有する。
【００９０】
同期歌詞表示部４５０は、ライセンスキー記憶部４３０が有効期間内のライセンスキー４０を記憶しているか否かを確認して、その確認がなされた場合には、暗号化同期歌詞データ２２を復号化することができるように構成されていてもよいし、予め暗号化同期歌詞データ２２を復号化して復号化同期歌詞データ２４を作成しておき、上記確認がなされた場合にのみ、復号化同期歌詞データ２４から歌詞を表示することができるように構成されていてもよい。
【００９１】
同期歌詞表示部４５０は、ライセンスキー４０が有効期間内のものでない場合又はライセンスキー４０そのものを所有していない場合であっても、同期歌詞付き音楽ファイル３０に含まれる暗号化同期歌詞データ２２から歌詞の一部（例えば、曲の頭から４５秒間の歌詞。）を表示することができるように構成されている。
【００９２】
同期歌詞表示部４５０は、予め１曲分の暗号化同期歌詞データ２２を復号化しておくとともに、ライセンスキー４０が有効期間内のものでない場合又はライセンスキー４０そのものを所有していない場合には、曲の頭から４５秒間の部分のみ歌詞を表示することができるように構成されている。
【００９３】
実施形態１に係る同期歌詞配信システム１００においては、音楽ファイル１０として、ＷＭＡ形式（Ｖｅｒ．１０）の音楽ファイルを用いている。暗号化同期歌詞データ２２を音楽ファイル１０に挿入して同期歌詞付き音楽ファイル３０を作成する方法としては、図４に示すように、音楽ファイル１０のヘッダ領域に暗号化同期歌詞データ２２を書き込む方法を用いている。
【００９４】
実施形態１に係る同期歌詞配信システム１００においては、暗号化同期歌詞データ２２を音楽ファイル１０に挿入する方法としては、音楽ファイル１０におけるヘッダ領域などの管理領域に暗号化同期歌詞データを書き込む方法や、電子透かし技術により音楽ファイル１０における音楽データ領域に暗号化同期歌詞データ２２を書き込む方法などを好ましく用いることができる。
【００９５】
次に、実施形態１に係る同期歌詞配信システム１００の利用方法について、図５〜図１５を用いて説明する。
【００９６】
図５、図６及び図１５は、実施形態１に係る同期歌詞配信システム１００の利用方法を説明するために示すフローチャートである。図６はクライアントが歌詞配信会員になった場合における利用方法を説明するために示すフローチャートであり、図１５はクライアントが歌詞配信会員になっていない場合における利用方法を説明するために示すフローチャートである。図７〜図１２及び図１４は、同期歌詞付き音楽ファイル管理端末３００における表示画面の一例を示す図である。図１３は、携帯型音楽・同期歌詞再生端末４００における表示画面の一例を示す図である。
【００９７】
実施形態１に係る同期歌詞配信システム１００を利用しようとするクライアントは、図５に示すように、まず、プロバイダのホームページに接続する。すると、クライアントのコンピュータの表示画面には、プロバイダのトップページが表示される（例えば、図７参照。）。
【００９８】
プロバイダのトップページには、マネージャプログラム（同期歌詞付き音楽ファイル管理端末用プログラム）をダウンロードするための「マネージャプログラムダウンロード」ボタンと、会員登録をするための「会員登録」ボタンと、その他の各種のボタン（例えば、「今月のヒット」ボタン、「今月の新譜情報」ボタンなど。ともに図示せず。）が用意されている。従って、クライアントは、マネージャプログラムをダウンロードすることもできるし（図５の符号Ａ参照。）、会員登録をすることもできるし（図５の符号Ｂ参照。）、その他の各種サービスを受けること（例えば、今月のヒット情報を見たり、今月の新譜情報を見たりすること。）もできる（図５の符号Ｃ参照。）。
【００９９】
クライアントが「マネージャプログラムダウンロード」ボタンをクリックすると、クライアントのコンピュータにマネージャプログラム５０（図１参照。）がダウンロードされる。その後、クライアントがマネージャプログラム５０を自己のコンピュータにインストールすることにより、クライアントのコンピュータが実施形態１に係る歌詞配信システム１００における同期歌詞付き音楽ファイル管理端末３００となる。
【０１００】
一方、クライアントが「会員登録」ボタンをクリックすると、会員登録のための設定画面が表示され、この設定画面に従って、住所、氏名、ＩＤ、パスワード、料金支払の方法などの情報を順次入力することにより、クライアントは、同期歌詞配信会員として会員登録され、以降、同期歌詞配信会員としての各種サービスの提供を受けることができる。
【０１０１】
次に、マネージャプログラムのインストールを行ったクライアントがマネージャプログラム５０を起動した場合を説明する。クライアントがマネージャプログラム５０を起動すると、自己のコンピュータの表示画面には、図８に示すようなマネージャ画面が表示され、クライアントは、以降このマネージャ画面を利用して、実施形態１に係る歌詞配信システム１００における各種サービスの提供（以下の（Ａ）〜（Ｃ）参照。）を受けることが可能となる。なお、実施形態１に係る歌詞配信システム１００においては、マネージャ画面における太い黒線で囲まれた四角い領域には、プロバイダのホームページがそのまま表示されるように設定されている。
【０１０２】
（Ａ）同期歌詞ファイル２０の受信（図６の符号Ａ参照。）
クライアントが、希望する同期歌詞ファイル２０の配信を受けて歌詞付き音楽ファイル３０を作成する場合には、図９に示すように、検索入力画面を利用して、アーティスト名として例えば「くじら」を入力して検索すると、検索結果画面には、自己が所有する音楽ファイル１０（この場合、「くじら」の「朝焼け」及び「夕焼け」。）及び自己が所有する同期歌詞付き音楽ファイル３０（この場合、「くじら」の「春」、「夏」、「秋」及び「冬」。）の関する曲のリストが示される。これらのうち同期歌詞ファイルの配信を希望する曲（この場合、「くじら」の「朝焼け」及び「夕焼け」。）におけるチェックボックスをクリックした後、「配信要求」ボタンをクリックする。
【０１０３】
すると、図１０に示すように、同期歌詞ファイル配信装置２００から、該当する同期歌詞ファイル２０（この場合、「くじら」の「朝焼け」及び「夕焼け」。）の配信が行われる。その後、同期歌詞付き音楽ファイル管理端末３００の機能により、受信した同期歌詞ファイル２０から暗号化同期歌詞データ２２が抽出され、音楽ファイル１０に当該暗号化同期歌詞データ２２が挿入されることにより、暗号化同期歌詞データ２２を含む同期歌詞付き音楽ファイル３０が自動的に作成される。マネージャ画面上では、図１０に示すように、「くじら」の「朝焼け」及び「夕焼け」における「同期歌詞」欄の表示が「無」から「有」に変わる。
【０１０４】
（Ｂ）歌詞付き音楽ファイル３０の転送（図６の符号Ｂ参照。）
クライアントが、歌詞付き音楽ファイル３０を携帯型音楽・同期歌詞再生端末４００に送信（転送）する場合には、まず、歌詞付き音楽ファイル管理端末３００に携帯型音楽・同期歌詞再生端末４００を接続する。その後、図１１に示すように、検索入力画面を利用して、アーティスト名として例えば「くじら」を入力して検索すると、検索結果画面には、自己が所有する（すなわち、歌詞付き音楽ファイル管理端末３００が記憶している。）音楽ファイル１０（この場合、なし。）及び自己が所有する同期歌詞付き音楽ファイル３０（この場合、「くじら」の「朝焼け」、「夕焼け」、「春」、「夏」、「秋」及び「冬」。）の曲のリストが示される。図１１の画面においては、「携帯」欄には「無」が表示されており、携帯型音楽・同期歌詞再生端末４００がこれらの曲についての同期歌詞付き音楽ファイルを何も記憶していないことを示している。
【０１０５】
次に、これらの曲のうち携帯型音楽・同期歌詞再生端末４００への送信を希望するもの（この場合、「くじら」の「朝焼け」、「夕焼け」、「春」、「夏」、「秋」及び「冬」。）におけるチェックボックスをクリックした後、「携帯送信」ボタンをクリックする。すると、同期歌詞付き音楽ファイル管理端末３００から携帯型音楽・同期歌詞再生端末４００に対して、該当する同期歌詞付き音楽ファイル３０（この場合、「くじら」の「朝焼け」、「夕焼け」、「春」、「夏」、「秋」及び「冬」。）の送信（転送）が行われる。マネージャ画面上では、図１２に示すように、「くじら」の「朝焼け」、「夕焼け」、「春」、「夏」、「秋」及び「冬」における「携帯」欄の表示が「無」から「有」に変わる。
【０１０６】
これにより、携帯型音楽・同期歌詞再生端末４００に同期歌詞付き音楽ファイルが送信（転送）され、これ以降、クライアントは、図１３に示すように、携帯型音楽・同期歌詞再生端末４００を用いて、同期歌詞付き音楽ファイル３０に含まれる暗号化同期歌詞データ２２から音楽再生に同期して歌詞を表示することが可能となる。
【０１０７】
（Ｃ）同期歌詞付き音楽ファイル管理端末３００を利用した音楽・同期歌詞再生（図６の符号Ｃ参照。）
クライアントは同期歌詞付き音楽ファイル管理端末３００を用いて同期歌詞付き音楽ファイル３０に含まれる暗号化同期歌詞データ２２から音楽再生に同期して歌詞を表示（音楽・同期歌詞再生）することもできる。この場合には、図１４に示すように、音楽・同期歌詞再生させたい曲（この場合、「くじら」の「朝焼け」。）におけるチェックボックスをクリックした後、マネージャ画面上における「再生」ボタンをクリックする。すると、同期歌詞付き音楽ファイル管理端末３００における音楽再生部から音楽が再生され、これに同期して同期歌詞表示部により歌詞が表示される（図１４における歌詞表示画面参照。）。
【０１０８】
なお、実施形態１に係る同期歌詞配信システム１００においては、歌詞表示画面には「非同期歌詞（全文）表示」ボタンが用意されており、この「非同期歌詞（全文）表示」ボタンをクリックすることにより、これに応じてプロバイダから非同期歌詞ファイル（全文）が配信され、マネージャ画面に表示される。その結果、クライアントは、マネージャ画面上で非同期歌詞ファイル（全文）を見ることもできる。
【０１０９】
なお、クライアントが歌詞配信会員になっていない場合にも、マネージャプログラムを起動すると、クライアントが歌詞配信会員になっている場合と同じ画面が表示される。
但し、この場合、マネージャプログラム５０の機能は制限されており、同期歌詞付き音楽ファイル管理端末３００から携帯型音楽・同期歌詞再生端末４００には同期歌詞付き音楽ファイル３０の送信はできず、同期歌詞付き音楽ファイル管理端末３００においては、歌詞の一部（例えば、曲の頭から４５秒間の歌詞。）についてしか音楽・同期歌詞再生することはできない。また、携帯型音楽・同期歌詞再生端末４００においても、音楽・同期歌詞再生することはできない。しかしながら、クライアントは、図１５に示すように、希望する同期歌詞ファイル２０の配信を受けて歌詞付き音楽ファイル３０を作成することはできるし（図１５の符号Ａ参照。）、同期歌詞付き音楽ファイル管理端末３００を用いて同期歌詞付き音楽ファイル３０に含まれる暗号化同期歌詞データ２２から歌詞の一部について音楽再生に同期して歌詞を表示する（図１５の符号Ｂ参照。）ことができる。
【０１１０】
以上のように構成された実施形態１に係る同期歌詞配信システム１００によれば、従来の同期歌詞配信システム９００の場合とは異なり、同期歌詞付き音楽ファイルではなく同期歌詞ファイル２０がクライアントに対して配信されることとなるため、当該クライアントには重複して音楽データが配信されることがなくなる。その結果、実施形態１に係る同期歌詞配信システム１００によれば、クライアントが既に音楽ファイル１０を所有している場合に音楽データの取得費用が重複して発生してしまうという事態が発生することがなくなる。
【０１１１】
また、実施形態１に係る同期歌詞配信システム１００によれば、従来の同期歌詞配信システム９００の場合と同様に、クライアントにとってもプロバイダにとっても以下のように大きな利益が得られる。すなわち、クライアントにとっては、実施形態１に係る同期歌詞配信システム１００に参加することで、プロバイダから受信した同期歌詞ファイル２０から暗号化同期歌詞データ２２を抽出し、自己の所有する音楽ファイル１０に当該暗号化同期歌詞データ２２を挿入することにより、同期歌詞付き音楽ファイル３０を作成することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データ２２を含む同期歌詞ファイル２０をクライアントに対して配信するとともに、クライアントが現時点で有効な同期歌詞配信会員である場合にのみ、有効期間が定められたライセンスキー４０を当該クライアントに対して送信することで、爾後の適切な著作権管理が可能となり、所定条件下での確実な課金が可能となるという利益が得られる。
【０１１２】
また、実施形態１に係る同期歌詞配信システム１００によれば、同期歌詞付き音楽ファイル管理端末３００の同期歌詞付き音楽ファイル記憶部３４０及び携帯型音楽・同期歌詞再生端末４００の同期歌詞付き音楽ファイル記憶部４２０は、ライセンスキー４０が有効期間内のものでない場合であっても、同期歌詞付き音楽ファイル３０を記憶し続ける機能をさらに有する。これにより、ライセンスキー４０の有効期間が経過した後であっても、同期歌詞付き音楽ファイル管理端末３００は、既に作成した同期歌詞付き音楽ファイル３０を記憶し続けることが可能となり、携帯型音楽・同期歌詞再生端末４００は、既に記憶している同期歌詞付き音楽ファイル３０を記憶し続けることが可能となるため、例えばクライアントが同期歌詞配信システム１００への参加を取り止めた後、再参加するなどしてライセンスキー４０を再度取得したような場合であっても、参加を取り止める前に作成しておいた同期歌詞付き音楽ファイル３０に含まれる暗号化同期歌詞データ２２から音楽再生に同期して歌詞を表示することが可能となる。
【０１１３】
また、実施形態１に係る同期歌詞配信システム１００によれば、携帯型音楽・同期歌詞再生端末４００の音楽再生部４４０は、ライセンスキー４０が有効期間内のものでない場合であっても、同期歌詞付き音楽ファイル３０に含まれる音楽データ１２から音楽を再生する機能をさらに有する。これにより、ライセンスキー４０の有効期間が経過した後であっても、歌詞が表示されないだけで音楽を再生することが可能となるため、例えばクライアントが同期歌詞配信システム１００への参加を取り止めてライセンスキー４０を失ったとしても、既に作成した同期歌詞付き音楽ファイル３０が無駄になってしまうということがなくなる。
【０１１４】
また、実施形態１に係る同期歌詞配信システム１００によれば、同期歌詞付き音楽ファイル管理端末３００は、音楽再生部３６０と、同期歌詞表示部３７０とをさらに有するため、同期歌詞付き音楽ファイル管理端末３００を用いることによっても、同期歌詞付き音楽ファイル３０に含まれる暗号化同期歌詞データ２２から音楽再生に同期して歌詞を表示することが可能となり、クライアントにとっての利便性が高まる。
【０１１５】
また、実施形態１に係る同期歌詞配信システム１００によれば、同期歌詞付き音楽ファイル管理端末３００の同期歌詞表示部３７０は、ライセンスキー４０が有効期間内のものでない場合又はライセンスキー４０そのものを所有していない場合であっても、同期歌詞付き音楽ファイル３０に含まれる暗号化同期歌詞データ２２から歌詞の一部（例えば、曲の頭から４５秒間の歌詞。）を表示することができるように構成されているため、ライセンスキー４０そのものを所有していないクライアントに対しては、同期歌詞配信システム１００の機能の一部を体験させることで、同期歌詞配信システム１００の素晴らしさ、楽しさなどを知らしめることができ、同期歌詞配信システム１００への参加を促すことが可能となる。また、ライセンスキー４０の有効期間が経過したクライアントに対しては、同期歌詞配信システム１００の機能の一部を再体験させることで、同期歌詞配信システム１００の素晴らしさ、楽しさなどを再認識させることができ、同期歌詞配信システム１００への再参加を促すことが可能となる。
【０１１６】
また、実施形態１に係る同期歌詞配信システム１００によれば、ウェブサービスサーバ２４０は、クライアントから同期歌詞ファイル２０の配信を希望する旨の要求があったとき、当該クライアントが現時点で有効な同期歌詞配信会員である場合にのみ、当該クライアントに対して同期歌詞ファイル２０を送信することで、適切な著作権管理を行うことが可能となる。
【０１１７】
〔変形例１〕
変形例１は、クライアントが複数の携帯型音楽・同期歌詞再生端末を使用することができることを説明するための変形例である。
【０１１８】
図１６は、実施形態１の変形例１に係る同期歌詞配信システム１００ａを説明するために示す図である。
【０１１９】
実施形態１の変形例１に係る同期歌詞配信システム１００ａは、基本的には実施形態１に係る同期歌詞配信システム１００と良く似た構成を有するが、複数の携帯型音楽・同期歌詞再生端末を備える点で、実施形態１に係る同期歌詞配信システム１００とは異なる。また、変形例１に係る同期歌詞配信システム１００ａにおいては、複数の携帯型音楽・同期歌詞再生端末を備えることに伴い、同期歌詞付き音楽ファイル管理端末における同期歌詞付き音楽ファイル作成部の機能が、実施形態１に係る同期歌詞配信システム１００とは異なる。
【０１２０】
すなわち、変形例１に係る同期歌詞配信システム１００ａにおいては、図１６に示すように、携帯型音楽・同期歌詞再生端末として、３種類の携帯型音楽・同期歌詞再生端末４００ａ，４００ｂ，４００ｃを備えている。
また、変形例１に係る同期歌詞配信システム１００ａにおいては、同期歌詞付き音楽ファイル管理端末３００ａにおける同期歌詞付き音楽ファイル作成部３３０ａ（図示せず。）は、実施形態１で説明した同期歌詞付き音楽ファイル作成部３３０が有する機能に加えて、３種類の携帯型音楽・同期歌詞再生端末４００ａ，４００ｂ，４００ｃのそれぞれに対応するように同期歌詞付き音楽ファイル３０を作成する機能をさらに有する。
【０１２１】
このため、変形例１に係る同期歌詞配信システム１００ａにおいては、携帯型音楽・同期歌詞再生端末４００ａ，４００ｂ，４００ｃは、自己の表示性能に相応しい同期歌詞付き音楽ファイル３０を取得することが可能となる。例えば、携帯型音楽・同期歌詞再生端末が「白黒、１６文字×１行」の表示性能を有する表示装置を備える携帯型音楽・同期歌詞再生端末４００ａである場合には、これに対応した同期歌詞データを含む同期歌詞付き音楽ファイル３０を取得することが可能となる。また、携帯型音楽・同期歌詞再生端末が「白黒、１６文字×２行」の表示性能を有する表示装置を備える携帯型音楽・同期歌詞再生端末４００ｂである場合には、これに対応した同期歌詞データを含む同期歌詞付き音楽ファイル３０を取得することが可能となる。また、携帯型音楽・同期歌詞再生端末が「フルカラー、１６文字×２行」の表示性能を有する表示装置を備える携帯型音楽・同期歌詞再生端末４００ｃである場合には、これに対応した同期歌詞データを含む同期歌詞付き音楽ファイル３０を取得することが可能となる。
【０１２２】
〔実施形態２〜４〕
実施形態２〜４は、自己が所有している音楽ファイル以外の音楽ファイルについて同期歌詞付き音楽ファイルの配信を希望するクライアントが、本発明の同期歌詞配信システムを利用して同期歌詞付き音楽ファイルの配信を受ける場合を想定した実施形態である。実施形態２は、プロバイダが所有する同期歌詞ファイルと音楽ファイルとから、プロバイダにおいて同期歌詞付き音楽ファイルを作成する場合を説明するための実施形態である。実施形態３は、プロバイダが所有する同期歌詞ファイルとネットワークを介して取得した音楽ファイルとから、プロバイダにおいて同期歌詞付き音楽ファイルを作成する場合を説明するための実施形態である。実施形態４は、プロバイダが同期歌詞付き音楽ファイルを所有する場合を説明するための実施形態である。なお、同期歌詞付き音楽ファイルは、実施形態１の場合と同様に、音楽・同期歌詞再生後もクライアント側に残る。
【０１２３】
図１７は、実施形態２に係る同期歌詞配信システム１０２を説明するために示す図である。図１８は、実施形態３に係る同期歌詞配信システム１０４を説明するために示す図である。図１９は、実施形態４に係る同期歌詞配信システム１０６を説明するために示す図である。
【０１２４】
実施形態２〜４に係る同期歌詞配信システム１０２，１０４，１０６はいずれも、基本的には実施形態１に係る同期歌詞配信システム１００と良く似た構成を有するが、同期歌詞ファイル配信装置の構成が、実施形態１に係る同期歌詞配信システム１００とは異なる。
【０１２５】
すなわち、実施形態２に係る同期歌詞配信システム１０２においては、図１７に示すように、同期歌詞ファイル配信装置２０２は、同期歌詞ファイルＤＢ２１０と、非同期歌詞ファイルＤＢ２２０と、同期歌詞配信会員ＤＢ２３０と、クライアントの同期歌詞付き音楽ファイル管理端末３００との間で各種データの送受信を行うウェブサービスサーバ２４２と、音楽ファイル１０を記憶する音楽ファイルＤＢ２５０と、音楽ファイルＤＢ２５０が記憶する音楽ファイル１０と同期歌詞ファイルＤＢ２１０が記憶する同期歌詞ファイル２０とから暗号化同期歌詞データ２２を含む同期歌詞付き音楽ファイル３０を生成する同期歌詞付き音楽ファイル生成部２６０とを備えている。ウェブサービスサーバ２４２は、実施形態１で説明したウェブサービスサーバ２４０が有する機能に加えて、クライアントから同期歌詞付き音楽ファイル３０の配信を希望する旨の要求があったとき、同期歌詞付き音楽ファイル作成部２６０から同期歌詞付き音楽ファイル３０を取得して当該クライアントの同期歌詞付き音楽ファイル管理端末３００に対して配信する機能をさらに有する。
【０１２６】
また、実施形態３に係る同期歌詞配信システム１０４においては、図１８に示すように、同期歌詞ファイル配信装置２０４は、同期歌詞ファイルＤＢ２１０と、非同期歌詞ファイルＤＢ２２０と、同期歌詞配信会員ＤＢ２３０と、クライアントの同期歌詞付き音楽ファイル管理端末３００との間で各種データの送受信を行うウェブサービスサーバ２４４と、ネットワークを介して音楽ファイル１０を取得する音楽ファイル取得サーバ２７０と、音楽ファイル取得サーバ２７０が取得した音楽ファイル１０を記憶する音楽ファイルＤＢ２５２と、音楽ファイルＤＢ２５２が記憶する音楽ファイル１０と同期歌詞ファイルＤＢ２１０が記憶する同期歌詞ファイル２０とから同期歌詞付き音楽ファイル３０を作成する同期歌詞付き音楽ファイル作成部２６２とを備えている。ウェブサービスサーバ２４４は、実施形態１で説明したウェブサービスサーバ２４０が有する機能に加えて、クライアントから同期歌詞付き音楽ファイル３０の配信を希望する旨の要求があったとき、同期歌詞付き音楽ファイル作成部２６２から同期歌詞付き音楽ファイル３０を取得して当該クライアントの同期歌詞付き音楽ファイル管理端末３００に対して配信する機能をさらに有する。
【０１２７】
また、実施形態４に係る同期歌詞配信システム１０６においては、図１９に示すように、同期歌詞ファイル配信装置２０６は、同期歌詞ファイルＤＢ２１０と、非同期歌詞ファイルＤＢ２２０と、同期歌詞配信会員ＤＢ２３０と、クライアントの同期歌詞付き音楽ファイル管理端末３００との間で各種データの送受信を行うウェブサービスサーバ２４６と、音楽データ１２及び暗号化同期歌詞データ２２を含む同期歌詞付き音楽ファイル３０を記憶する同期歌詞付き音楽ファイルＤＢ２８０とを備えている。ウェブサービスサーバ２４６は、実施形態１で説明したウェブサービスサーバ２４０が有する機能に加えて、クライアントから同期歌詞付き音楽ファイル３０の配信を希望する旨の要求があったとき、同期歌詞付き音楽ファイルＤＢ２８０から同期歌詞付き音楽ファイル３０を取得して当該クライアントの同期歌詞付き音楽ファイル管理端末３００に対して配信する機能をさらに有する。
【０１２８】
このため、実施形態２〜４に係る同期歌詞配信システム１０２，１０４，１０６によれば、実施形態１に係る同期歌詞配信システム１００が有する効果に加えて、以下のような効果を有する。すなわち、自己が所有している音楽ファイル以外の音楽ファイルについて同期歌詞付き音楽ファイルの配信を希望するクライアントにとっては、実施形態２〜４に係る同期歌詞配信システム１０２，１０４，１０６に参加することで、プロバイダから、自己が所有している音楽ファイル以外の音楽ファイルに対応する同期歌詞付き音楽ファイルを入手することが可能となり、そのような場合であっても、歌詞データから同期歌詞データを作成するという煩雑な作業をしなくても、音楽再生に同期して自己の端末上に歌詞を表示することが可能となるという利益が得られる。
【０１２９】
なお、この場合、そもそもクライアントは当該音楽ファイルを所有していないのであるから、音楽データの取得費用が重複して発生してしまうという事態が発生することもない。実施形態２〜４に係る同期歌詞配信システム１０２，１０４，１０６においては、同期歌詞付き音楽ファイル管理端末３００は、自らが同期歌詞付き音楽ファイル３０を作成せずに、同期歌詞ファイル配信装置２０２，２０４，２０６から受信した同期歌詞付き音楽ファイル３０をそのまま管理すればよい。
【０１３０】
〔実施形態５〕
実施形態５は、既に音楽ファイルを所有しているクライアントが、本発明の同期歌詞配信システムを利用して同期歌詞ファイルの配信を受ける場合を想定した実施形態である。また、実施形態５は、受信した同期歌詞ファイルから抽出した暗号化同期歌詞データをバッファメモリに記憶させ、この暗号化同期歌詞データから音楽再生に同期して歌詞表示する場合を説明するための実施形態である。なお、プロバイダから配信された同期歌詞付き音楽ファイルに含まれていた暗号化同期歌詞データは、実施形態１の場合とは異なり、音楽・同期歌詞再生後にはクライアント側から消滅する。
【０１３１】
図２０は、実施形態５に係る同期歌詞配信システム１０８を説明するために示す図である。図２１は、実施形態５に係る同期歌詞配信システム１０８の利用方法を説明するために示すフローチャートである。
【０１３２】
実施形態５に係る同期歌詞配信システム１０８は、図２０に示すように、同期歌詞ファイル配信装置２０８と、音楽・同期歌詞再生端末５００とを備える。実施形態５に係る同期歌詞配信システム１０８においては、プロバイダが同期歌詞ファイル配信装置２０８を所有しており、クライアントが音楽・同期歌詞再生端末５００を所有している。
【０１３３】
同期歌詞ファイル配信装置２０８は、実施形態１に係る同期歌詞配信システム１００における同期歌詞ファイル配信装置２００と同じものである。このため、同期歌詞ファイル配信装置２０８についての説明は省略する。
【０１３４】
音楽・同期歌詞再生端末５００は、図２０に示すように、同期歌詞ファイル配信装置２０８との間で各種データの送受信を行う送受信部５１０と、受信した同期歌詞ファイル２０に含まれる暗号化同期歌詞データ２２を一時的に記憶するバッファメモリ５４０と、受信したライセンスキー４０を記憶するライセンスキー記憶部５５０と、音楽データ１２を含む音楽ファイル１０を記憶する音楽ファイル記憶部５２０と、音楽ファイル記憶部５２０が記憶している音楽ファイル１０に含まれる音楽データ１２から音楽を再生する音楽再生部５６０と、ライセンスキー４０が有効期間内のものである場合にのみバッファメモリ５４０に記憶している暗号化同期歌詞データ２２から音楽再生に同期して歌詞を表示する同期歌詞表示部５７０と、音楽再生が終了するときまでにバッファメモリ５４０における暗号化同期歌詞データ２２に係る記憶領域を開放する制御手段とを有する。実施形態５に係る同期歌詞配信システム１０８においては、ＣＰＵ５３０が制御手段の機能を実現する。
【０１３５】
送受信部５１０は、同期歌詞ファイル２０の配信を希望する旨の要求を同期歌詞ファイル配信装置２０８に対して送信する機能と、ライセンスキー４０の送信を希望する旨の要求を同期歌詞ファイル配信装置２０８に対して送信する機能と、同期歌詞ファイル配信装置２０８から配信された同期歌詞ファイル２０を受信する機能と、同期歌詞ファイル配信装置２０８から送信されたライセンスキー４０を受信する機能とを有する。
【０１３６】
音楽ファイル１０に含まれる音楽データ１２は、曲の進行に合わせて、音楽ファイル記憶部５２０からＣＰＵ５３０、バッファメモリ５４０、ＣＰＵ５３０を経由して順次音楽再生部５６０に転送される。
【０１３７】
送受信部５１０で受信された同期歌詞ファイル２０に含まれる暗号化同期歌詞データ２２は、ＣＰＵ５３０を経由してバッファメモリ５４０に転送された後、復号化されて復号化同期歌詞データ２４となってバッファメモリ５４０に記憶される。暗号化同期歌詞データ２２に係る記憶領域は、暗号化同期歌詞データ２２の復号化が終了したときに開放される。
【０１３８】
その後、復号化同期歌詞データ２４は、曲の進行に応じて、バッファメモリ５４０からＣＰＵ５３０を経由して同期歌詞表示部５７０に転送される。音楽・同期再生が終了したとき、復号化同期歌詞データ２４に係る記憶領域も開放される。
【０１３９】
同期歌詞表示部５７０は、ライセンスキー記憶部５５０が有効期間内のライセンスキー４０を記憶しているか否かを確認して、その確認がなされた場合にのみ、復号化同期歌詞データ２４から音楽再生に同期して歌詞を表示する。これにより、実施形態５に係る同期歌詞配信システム１０８においても、暗号化同期歌詞データ２２から音楽再生に同期して歌詞を表示することが可能となる。
【０１４０】
音楽・同期歌詞再生端末５００は、同期歌詞ファイル配信装置２０８に対して、自己が所有する音楽ファイル以外の音楽ファイルに対応する同期歌詞ファイルについては、配信を希望する旨の要求をすることができないように構成されている。
【０１４１】
同期歌詞表示部５７０は、ライセンスキー４０が有効期間内のものでない場合又はライセンスキー４０そのものを所有していない場合には、曲の頭から４５秒間の部分のみ歌詞を表示することができるように構成されている。
【０１４２】
実施形態５に係る同期歌詞配信システム１０８においては、音楽ファイル１０として、ＷＭＡ形式（Ｖｅｒ．１０）の音楽ファイルを用いている。
【０１４３】
次に、実施形態５に係る同期歌詞配信システム１０８の利用方法について、図５及び図２１を用いて説明する。
【０１４４】
実施形態５に係る同期歌詞配信システム１００を利用しようとするクライアントは、実施形態１に係る同期歌詞配信システム１００の場合と同様に、図５に示すように、マネージャプログラム５０をダウンロードすることもできるし（図５の符号Ａ参照。）、会員登録をすることもできるし（図５の符号Ｂ参照。）、その他の各種サービスを受けること（例えば、今月のヒット情報を見たり、今月の新譜情報を見たりすること。）もできる（図５の符号Ｃ参照。）。
【０１４５】
マネージャプログラム５０のインストールを行ったクライアントがマネージャプログラム５０を起動すると、実施形態１に係る同期歌詞配信システム１００の場合と同様に、図８に示すような画面が表示され、その画面を利用して、同期歌詞付き音楽ファイル３０に含まれる暗号化同期歌詞データ２２から音楽再生に同期して歌詞を表示（音楽・同期歌詞再生）することができる（図２１参照。）。
【０１４６】
また、実施形態５に係る同期歌詞配信システム１０８においては、実施形態１に係る同期歌詞配信システム１００の場合と同様に、歌詞表示画面には「非同期歌詞（全文）表示」ボタンが用意されており、この「非同期歌詞（全文）表示」ボタンをクリックすることにより、これに応じてプロバイダから非同期歌詞ファイル（全文）が配信され、マネージャ画面に表示される。その結果、クライアントは、マネージャ画面上で非同期歌詞ファイル（全文）を見ることもできる。
【０１４７】
以上のように構成された、実施形態５に係る同期歌詞配信システムによれば、実施形態１に係る同期歌詞配信システム１００の場合と同様に、同期歌詞付き音楽ファイルではなく同期歌詞ファイル２０がクライアントに対して配信されることとなるため、当該クライアントには重複して音楽データが配信されることがなくなる。その結果、実施形態５に係る同期歌詞配信システム１０８によれば、クライアントが既に音楽ファイルを所有している場合に音楽データの取得費用が重複して発生してしまうという事態が発生することがなくなる。
【０１４８】
また、実施形態５に係る同期歌詞配信システム１０８によれば、実施形態１に係る同期歌詞配信システム１００の場合と同様に、クライアントにとってもプロバイダにとっても以下のように大きな利益が得られる。すなわち、クライアントにとっては、実施形態５に係る同期歌詞配信システム１０８に参加することで、プロバイダから受信した同期歌詞ファイル２０に含まれる暗号化同期歌詞データ２２から音楽再生に同期して歌詞を表示することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データ２２を含む同期歌詞ファイル２０をクライアントに対して配信するとともに、クライアントが現時点で有効な同期歌詞配信会員である場合にのみ、有効期間が定められたライセンスキー４０を当該クライアントに対して送信することで、また、クライアントが暗号化同期歌詞データ２２から歌詞を表示させた後はバッファメモリ５４０に記憶している暗号化同期歌詞データ２２に係る記憶領域を開放することで、爾後の適切な著作権管理が可能となり、所定条件下での確実な課金が可能となるという利益が得られる。
【０１４９】
実施形態５に係る同期歌詞配信システム１０８においては、同期歌詞表示部５７０は、ライセンスキー４０が有効期間内のものでない場合又はライセンスキー４０そのものを所有していない場合であっても、暗号化同期歌詞データ２２から歌詞の一部（例えば、曲の頭から４５秒間の歌詞。）を表示することができるように構成されているため、ライセンスキーそのものを所有していないクライアントに対しては、同期歌詞配信システム１０８の機能の一部を体験させることで、同期歌詞配信システム１０８の素晴らしさ、楽しさなどを知らしめることができ、同期歌詞配信システム１０８への参加を促すことが可能となる。また、ライセンスキー４０の有効期間が経過したクライアントに対しては、同期歌詞配信システム１０８の機能の一部を再体験させることで、同期歌詞配信システム１０８の素晴らしさ、楽しさなどを再認識させることができ、同期歌詞配信システム１０８への再参加を促すことが可能となる。
【０１５０】
実施形態５に係る同期歌詞配信システム１０８においては、ウェブサービスサーバ２４０は、クライアントから同期歌詞ファイル２０の配信を希望する旨の要求があったとき、当該クライアントが現時点で有効な同期歌詞配信会員であるか否かを同期歌詞配信会員ＤＢ２３０が記憶する情報と照合して、当該クライアントが現時点で有効な同期歌詞配信会員であると確認された場合に、同期歌詞ファイル２０を当該クライアントの音楽・同期歌詞再生端末５００に対して配信するため、クライアントが現時点で有効な同期歌詞配信会員である場合にのみ、当該クライアントに対して同期歌詞ファイル２０を配信することで、適切な著作権管理を行うことが可能となる。
【０１５１】
以上、本発明の同期歌詞配信システム、同期歌詞ファイル配信装置、同期歌詞付き音楽ファイル管理端末、携帯型音楽・同期歌詞再生端末、同期歌詞付き音楽ファイル管理端末用プログラム、音楽・同期歌詞再生端末及び音楽・同期歌詞再生端末用プログラムを、上記の各実施形態に基づいて説明したが、本発明は、これに限定されるものではなく、その要旨を逸脱しない範囲において実施することが可能であり、例えば、次のような変形も可能である。
【０１５２】
（１）実施形態１又は実施形態５においては、実施形態１に係る同期歌詞配信システム１００と、実施形態５に係る同期歌詞配信システム１０８とを別個の同期歌詞配信システム１００，１０８として説明したが、本発明はこれに限定されるものでない。本発明は、実施形態１に係る同期歌詞配信システム１００と、実施形態５に係る同期歌詞配信システム１０８の両方の構成・機能を備える同期歌詞配信システムを含むものである。
【０１５３】
（２）上記した各実施形態においては、予め暗号化同期歌詞データ２２を復号化して復号化同期歌詞データ２４を作成しておくとともに、同期歌詞表示部３７０，４５０，５７０は、ライセンスキー記憶部３５０，４３０，５５０が有効期間内のライセンスキー４０を記憶していない場合には、復号化同期歌詞データ２４から歌詞を表示することができないように構成されているが、本発明はこれに限定されるものでない。同期歌詞表示部３７０，４５０，５７０は、ライセンスキー記憶部３５０，４３０，５５０が有効期間内のライセンスキー４０を記憶していない場合には、暗号化同期歌詞データを復号化することができないように構成されていてもよい。
【０１５４】
（３）上記した各実施形態においては、予め１曲分の暗号化同期歌詞データ２２を復号化しておき、ライセンスキー４０が有効期間内のものでない場合又はライセンスキー４０そのものを所有していない場合には、同期歌詞表示部３７０，４５０，５７０は、曲の頭から４５秒間の部分のみ歌詞を表示することができるように構成されているが、本発明はこれに限定されるものでない。同期歌詞表示部３７０，４５０，５７０は、暗号化同期歌詞データ２２のうち曲の頭から４５秒間の部分の暗号化同期歌詞データ２２のみを復号化することができるように構成されていてもよい。
【０１５５】
（４）実施形態５においては、暗号化同期歌詞データを復号化して復号化同期歌詞データを作成するときに、暗号化同期歌詞データに係る記憶領域を開放することとしているが、本発明はこれに限定されるものでない。音楽・同期歌詞再生が終了するときに暗号化同期歌詞データに係る記憶領域を開放することとしてもよい。
【０１５６】
（５）実施形態１又は実施形態５においては、音楽ファイル１０として、ＷＭＡフォーマット形式の音楽ファイルを用いたが、本発明はこれに限定されるものではない。例えば、ＭＰ３、ＡＡＣなどのフォーマット形式の音楽ファイルを用いることもできる。
【０１５７】
（６）実施形態１においては、音楽ファイル１０のヘッダ領域に暗号化同期歌詞データ２２を書き込むこととしたが、本発明はこれに限定されるものではない。例えば、電子透かし技術を用いて、音楽ファイル１０の音楽データ領域に暗号化同期歌詞データ２２を書き込むこともできる。
【０１５８】
（７）実施形態１又は実施形態５においては、同期歌詞付き音楽ファイル管理端末３００又は音楽・同期歌詞再生端末５００は、同期歌詞ファイル配信装置２００に対しては、自己が所有する音楽ファイル以外の音楽ファイルに対応する同期歌詞ファイルについては配信を希望する旨の要求をすることができないように構成されているが、本発明はこれに限定されるものではない。同期歌詞ファイル配信装置２００に対しては、自己が所有する音楽ファイル以外の音楽ファイルに対応する同期歌詞ファイルについても配信を希望する旨の要求をすることができるように構成されていてもよい。
【図面の簡単な説明】
【０１５９】
【図１】実施形態１に係る同期歌詞配信システム１００を説明するために示す図である。
【図２】実施形態１に係る同期歌詞配信システム１００における同期歌詞付き音楽ファイル管理端末３００の機能ブロック図である。
【図３】実施形態１に係る同期歌詞配信システム１００における携帯型音楽・同期歌詞再生端末４００の機能ブロック図である。
【図４】同期歌詞付き音楽ファイル３０を説明するために示す図である。
【図５】実施形態１に係る同期歌詞配信システム１００の利用方法を説明するために示すフローチャートである。
【図６】実施形態１に係る同期歌詞配信システム１００の利用方法を説明するために示すフローチャートである。
【図７】同期歌詞付き音楽ファイル管理端末３００における表示画面の一例を示す図である。
【図８】同期歌詞付き音楽ファイル管理端末３００における表示画面の一例を示す図である。
【図９】同期歌詞付き音楽ファイル管理端末３００における表示画面の一例を示す図である。
【図１０】同期歌詞付き音楽ファイル管理端末３００における表示画面の一例を示す図である。
【図１１】同期歌詞付き音楽ファイル管理端末３００における表示画面の一例を示す図である。
【図１２】同期歌詞付き音楽ファイル管理端末３００における表示画面の一例を示す図である。
【図１３】携帯型音楽・同期歌詞再生端末４００における表示画面の一例を示す図である。
【図１４】同期歌詞付き音楽ファイル管理端末３００における表示画面の一例を示す図である。
【図１５】実施形態１に係る同期歌詞配信システム１００の利用方法を説明するために示すフローチャートである。
【図１６】実施形態１の変形例に係る同期歌詞配信システム１００ａを説明するために示す図である。
【図１７】実施形態２に係る同期歌詞配信システム１０２を説明するために示す図である。
【図１８】実施形態３に係る同期歌詞配信システム１０４を説明するために示す図である。
【図１９】実施形態４に係る同期歌詞配信システム１０６を説明するために示す図である。
【図２０】実施形態５に係る同期歌詞配信システム１０８を説明するために示す図である。
【図２１】実施形態５に係る同期歌詞配信システム１０８の利用方法を説明するために示すフローチャートである。
【図２２】従来の同期歌詞配信システム９００を説明するために示す図である。
【符号の説明】
【０１６０】
１０…音楽ファイル、１２…音楽データ、２０…同期歌詞ファイル、２２…暗号化同期歌詞データ、２４…復号化同期歌詞データ、３０…同期歌詞付き音楽ファイル、４０…ライセンスキー、５０…マネージャプログラム、１００，１００ａ，１０２，１０４，１０６，１０８，９００…同期歌詞配信システム、２００，２０２，２０４，２０６，２０８…同期歌詞ファイル配信装置、２１０…同期歌詞ファイルＤＢ、２２０…非同期歌詞ファイルＤＢ、２３０…同期歌詞配信会員ＤＢ、２４０，２４２，２４４，２４６…ウェブサービスサーバ、２５０，２５２…音楽ファイルＤＢ、２６０，２６２…同期歌詞付き音楽ファイル作成部、２７０…音楽ファイル取得サーバ、２８０…同期歌詞付き音楽ファイルＤＢ、３００…同期歌詞付き音楽ファイル管理端末、３１０…送受信部、３２０…音楽ファイル記憶部、３３０，３３０ａ…同期歌詞付き音楽ファイル作成部、３４０…同期歌詞付き音楽ファイル記憶部、３５０…ライセンスキー記憶部、３６０…音楽再生部、３７０…同期歌詞表示部、３８０…インタフェース部、４００，４００ａ，４００ｂ、４００ｃ…携帯型音楽・同期歌詞再生端末、４１０…インタフェース部、４２０…同期歌詞付き音楽ファイル記憶部、４３０…ライセンスキー記憶部、４４０…音楽再生部、４５０…同期歌詞表示部、５００…音楽・同期歌詞再生端末、５１０…送受信部、５２０…音楽ファイル記憶部、５３０…ＣＰＵ、５４０…バッファメモリ、５５０…ライセンスキー記憶部、５６０…音楽再生部、５７０…歌詞表示部、９１０…同期歌詞付き音楽ファイル配信装置、９２０…音楽ファイルＤＢ、９３０…同期歌詞ファイルＤＢ、９４０…同期歌詞付き音楽ファイル作成部、９５０…ＤＲＭ部、９６０…ウェブサービスサーバ、９７０…同期歌詞付き音楽ファイル、９８０…クライアント端末
【図２】
2008112157.tif 000003
【図３】
2008112157.tif 000004
【図４】
2008112157.tif 000005
【図５】
2008112157.tif 000006
【図６】
2008112157.tif 000007
【図７】
2008112157.tif 000008
【図８】
2008112157.tif 000009
【図１０】
2008112157.tif 000010
【図１２】
2008112157.tif 000011
【図１３】
2008112157.tif 000012
【図１５】
2008112157.tif 000013
【図２１】
2008112157.tif 000014
【図２２】
2008112157.tif 000015
【図１】
2008112157.tif 000016
【図９】
2008112157.tif 000017
【図１１】
2008112157.tif 000018
【図１４】
2008112157.tif 000019
【図１６】
2008112157.tif 000020
【図１７】
2008112157.tif 000021
【図１８】
2008112157.tif 000022
【図１９】
2008112157.tif 000023
【図２０】
2008112157.tif 000024